(57)【要約】  観察者が立体感を感じ易い回折画像を表示する表示体を提供可能とする。表示体（１）は、立体物の画像を回折画像として表示するレリーフ型の回折構造が一方の主面に設けられたレリーフ構造形成層と、前記主面のうち前記回折構造が設けられた領域を少なくとも部分的に覆った反射層とを具備し、前記領域は、第１及び第２領域（Ｒ１，Ｒ２）を含み、前記回折構造のうち前記第１領域（Ｒ１）に設けられた部分は、第１格子を形成した第１及び第２線状部と第１格子の隙間に配置された第１部分とからなり、第１及び第２線状部は実線状である第１パターンを形成し、前記回折構造のうち前記第２領域（Ｒ２）に設けられた部分は、幅方向に交互に配列した第３及び第４線状部からなり、第３線状部は破線状であり、第４線状部は破線状又は点線状である第２パターンを形成している。
2020054216.tif 000002
【特許請求の範囲】
【請求項１】
立体物の画像を回折画像として表示するレリーフ型の回折構造が一方の主面に設けられたレリーフ構造形成層と、
前記主面のうち前記回折構造が設けられた領域を少なくとも部分的に覆った反射層と
を具備し、
前記領域は、第１及び第２領域を含み、
前記回折構造のうち前記第１領域に設けられた部分は、幅方向に配列した複数の第１線状部と、幅方向に配列し且つ前記複数の第１線状部と交差して、前記複数の第１線状部とともに第１格子を形成した複数の第２線状部と、前記第１格子の複数の隙間にそれぞれ配置された複数の第１部分とからなり、前記複数の第１及び第２線状部の各々は実線状である第１パターンを形成し、
前記回折構造のうち前記第２領域に設けられた部分は、幅方向に交互に配列した複数の第３線状部及び複数の第４線状部からなり、前記複数の第３線状部の各々は破線状であり、前記複数の第４線状部の各々は破線状又は点線状である第２パターンを形成している表示体。
【請求項２】
前記第１領域と前記第２領域とは隣接している請求項１に記載の表示体。
【請求項３】
前記複数の第３線状部の１以上は、前記複数の第１線状部の１以上の延長線上に位置している請求項１又は２に記載の表示体。
【請求項４】
前記第２領域の面積に占める前記第２パターンの面積の割合は、前記第１領域の面積に占める前記第１パターンの面積の割合と比較してより小さい請求項１乃至３の何れか１項に記載の表示体。
【請求項５】
前記反射層のうち前記第１及び第２領域上に位置した部分は、前記第１及び第２パターンのみを被覆している請求項１乃至４の何れか１項に記載の表示体。
【請求項６】
前記複数の第１乃至第４線状部は、幅が１０μｍ乃至１００μｍの範囲内にあり、前記複数の第１部分は、幅又は径が１０μｍ乃至１００μｍの範囲内にある請求項１乃至５の何れか１項に記載の表示体。
【請求項７】
前記複数の第１乃至第４線状部の１以上は、長さ方向に沿って幅が変化しているか、又は、前記複数の第１乃至第４線状部の２以上は、幅が互いに異なっている請求項１乃至６の何れか１項に記載の表示体。
【請求項８】
前記複数の第１乃至第４線状部の１以上は、その線状部の長さ方向に各々が延び、幅方向に隣接した第１及び第２線状領域を含み、前記第１及び第２線状領域は、肉眼で観察した場合に回折光によってそれらを互いから区別可能に構成された請求項１乃至７の何れか１項に記載の表示体。
【請求項９】
前記回折構造は、前記回折画像として多色画像を表示するように構成された請求項１乃至８の何れか１項に記載の表示体。
【請求項１０】
前記複数の第１乃至第４線状部の１以上は、波長が異なる回折光を射出し、それら回折光の加法混色による色表現をするように構成された複数のサブ領域を含んだ請求項９に記載の表示体。
【請求項１１】
前記複数の第１乃至第４線状部のうち前記複数のサブ領域を含んだものでは、前記複数のサブ領域は、これらサブ領域を含んだ前記線状部の長さ方向に配列している請求項１０に記載の表示体。
【請求項１２】
前記複数の第１乃至第４線状部のうち前記複数のサブ領域を含んだものでは、前記複数のサブ領域は、これらサブ領域を含んだ前記線状部の幅方向に配列している請求項１０に記載の表示体。
【請求項１３】
前記複数の第１乃至第４線状部のうち前記複数のサブ領域を含んだものでは、前記複数のサブ領域は、これらサブ領域を含んだ前記線状部の長さ方向及び幅方向に配列している請求項１０に記載の表示体。
【請求項１４】
前記回折構造が設けられた前記領域は、第３領域を更に含み、
前記回折構造のうち前記第３領域に設けられた部分は、幅方向に配列した複数の第５線状部と、幅方向に配列し且つ前記複数の第５線状部と交差して、前記複数の第５線状部とともに第２格子を形成した複数の第６線状部と、前記第２格子の複数の隙間にそれぞれ配置された複数の第２部分とからなり、前記複数の第５線状部の各々は実線状又は破線状であり、前記複数の第６線状部の各々は破線状又は点線状である第３パターンを形成している請求項１に記載の表示体。
【請求項１５】
前記第１領域と前記第２領域とは、前記第３領域を間に挟んで隣接している請求項１４に記載の表示体。
【請求項１６】
前記複数の第１線状部の１以上と前記複数の第３線状部の１以上とは、前記複数の第５線状部の１以上の延長線上に位置している請求項１４又は１５に記載の表示体。
【請求項１７】
前記第１領域の面積に占める前記第１パターンの面積の割合は、前記第３領域の面積に占める前記第３パターンの面積の割合と比較してより大きく、前記第２領域の面積に占める前記第２パターンの面積の割合は、前記第３領域の面積に占める前記第３パターンの面積の割合と比較してより小さい請求項１４乃至１６の何れか１項に記載の表示体。
【請求項１８】
前記反射層のうち前記第１乃至第３領域上に位置した部分は、前記第１乃至第３パターンのみを被覆している請求項１４乃至１７の何れか１項に記載の表示体。
【請求項１９】
前記複数の第１乃至第６線状部は、幅が１０μｍ乃至１００μｍの範囲内にある請求項１４乃至１８の何れか１項に記載の表示体。
【請求項２０】
前記複数の第１乃至第６線状部の１以上は、長さ方向に沿って幅が変化しているか、又は、前記複数の第１乃至第６線状部の２以上は、幅が互いに異なっている請求項１４乃至１９の何れか１項に記載の表示体。
【請求項２１】
前記複数の第１乃至第６線状部の１以上は、その線状部の長さ方向に各々が延び、幅方向に隣接した第１及び第２線状領域を含み、前記第１及び第２線状領域は、肉眼で観察した場合に回折光によってそれらを互いから区別可能に構成された請求項１４乃至２０の何れか１項に記載の表示体。
【請求項２２】
前記回折構造は、前記回折画像として多色画像を表示するように構成された請求項１４乃至２１の何れか１項に記載の表示体。
【請求項２３】
前記複数の第１乃至第６線状部の１以上は、波長が異なる回折光を射出し、それら回折光の加法混色による色表現をするように構成された複数のサブ領域を含んだ請求項２２に記載の表示体。
【請求項２４】
前記複数の第１乃至第６線状部のうち前記複数のサブ領域を含んだものでは、前記複数のサブ領域は、これらサブ領域を含んだ前記線状部の長さ方向に配列している請求項２３に記載の表示体。
【請求項２５】
前記複数の第１乃至第６線状部のうち前記複数のサブ領域を含んだものでは、前記複数のサブ領域は、これらサブ領域を含んだ前記線状部の幅方向に配列している請求項２３に記載の表示体。
【請求項２６】
前記複数の第１乃至第６線状部のうち前記複数のサブ領域を含んだものでは、前記複数のサブ領域は、これらサブ領域を含んだ前記線状部の長さ方向及び幅方向に配列している請求項２３に記載の表示体。
【請求項２７】
前記複数の第１部分は、前記複数の第１線状部の長さ方向と前記複数の第２線状部の長さ方向とに対して傾いた方向に各々が延び、幅方向に配列した複数の破線又は点線を形成している請求項１乃至２６の何れか１項に記載の表示体。
【請求項２８】
前記複数の第４線状部の１以上は点線状であり、前記点線を構成している点の１以上と他の１以上とは形状が異なっている請求項１乃至２７の何れか１項に記載の表示体。
【請求項２９】
前記複数の第３線状部と前記複数の第４線状部とは、単位長さに占める隙間の割合が異なっている請求項１乃至２８の何れか１項に記載の表示体。
【請求項３０】
前記立体物の画像は、人物、動物、植物、建造物、及び風景の画像の１以上を含んだ請求項１乃至２９の何れか１項に記載の表示体。
【請求項３１】
前記立体物の画像は人物の肖像を含んだ請求項１乃至２９の何れか１項に記載の表示体。
【請求項３２】
前記複数の第１線状部と前記複数の第３線状部とは、前記人物の鼻又は目から斜め下方へ各々が延びた複数の線上に位置するように、及び、前記複数の第３線状部が前記複数の第１線状部と前記人物の鼻又は目との間に位置するように配置されている請求項３１に記載の表示体。
【請求項３３】
請求項１乃至３２の何れか１項に係る表示体を含んだ転写材層と、
前記転写材層を剥離可能に支持した支持体と
を備えた転写箔。
【請求項３４】
請求項１乃至３２の何れか１項に係る表示体と、
前記表示体の一方の主面に設けられた粘着層と
を備えた粘着ラベル。
【請求項３５】
請求項１乃至３２の何れか１項に係る表示体と、
前記表示体を支持した物品と
を備えたラベル付き物品。
【請求項３６】
前記物品上に設けられた印刷層を更に備えた請求項３５に記載のラベル付き物品。
【請求項３７】
前記印刷層は、前記立体物の前記画像を印刷画像として表示する請求項３６に記載のラベル付き物品。
【請求項３８】
眼を含む顔画像を回折画像として表示するレリーフ型の回折構造が一方の主面に設けられたレリーフ構造形成層を具備し、
前記主面は、前記眼の瞳孔に対応した第１領域と、前記眼の虹彩の少なくとも一部に対応した第２領域とを含み、
前記回折構造は、前記第１領域の位置に第１部分を含むとともに、前記第２領域の位置に、同心円状の配列を形成している複数の第２部分を含んだ表示体。
【請求項３９】
前記第１部分は、円形状、楕円形状又は紡錘形状を有している請求項３８に記載の表示体。
【請求項４０】
前記回折構造を構成している溝又は畝の長さ方向は、前記第１部分と前記複数の第２部分とで互いに等しい請求項３８又は３９に記載の表示体。
【請求項４１】
前記回折構造を構成している溝又は畝のピッチは、前記第１部分と前記複数の第２部分とで互いに等しい請求項３８乃至４０の何れか１項に記載の表示体。
【請求項４２】
前記回折構造を構成している溝又は畝のピッチは、前記第２領域の内周から前記第２領域の外周へ向けて減少又は増加している請求項３８乃至４０の何れか１項に記載の表示体。
【請求項４３】
前記主面は、前記眼の強膜に対応した第３領域を更に含み、
前記回折構造は、前記第３領域の位置に、同心円状の配列を形成している複数の第３部分を更に含み、
前記第３領域の面積に占める前記複数の第３部分の合計面積の割合は、前記第２領域の面積に占める前記複数の第２部分の合計面積の割合と比較してより小さい請求項３８乃至４２の何れか１項に記載の表示体。
【請求項４４】
前記複数の第３部分の幅は前記複数の第２部分の幅と比較してより小さい請求項４３に記載の表示体。
【請求項４５】
前記複数の第２部分は実線からなる同心円状の配列を形成し、前記複数の第３部分は破線からなる同心円状の配列を形成している請求項４３又は４４に記載の表示体。
【請求項４６】
前記回折構造を構成している溝又は畝の長さ方向は、前記第１部分と前記複数の第３部分とで互いに等しい請求項４３乃至４５の何れか１項に記載の表示体。
【請求項４７】
前記第２領域は前記虹彩の一部に対応し、
前記顔画像は、前記虹彩の残りの部分と重なり合ったキャッチライトを更に含み、
前記主面は、前記キャッチライトに対応した第４領域を更に含み、
前記回折構造は、前記第４領域の位置に第４部分を更に含み、
前記第４部分は、前記複数の第２部分の隣り合った２以上に跨るように拡がっている請求項３８乃至４６の何れか１項に記載の表示体。
【請求項４８】
前記回折構造を構成している溝又は畝の長さ方向は、前記複数の第２部分と前記第４部分とで互いに等しい請求項４７に記載の表示体。
【請求項４９】
前記回折構造を構成している溝又は畝のピッチは、前記複数の第２部分と前記第４部分とで互いに異なっている請求項４７又は４８に記載の表示体。
【請求項５０】
前記主面を少なくとも部分的に覆った反射層を更に具備した請求項３８乃至４９の何れか１項に記載の表示体。
【請求項５１】
前記反射層は、前記主面のうち、前記回折構造が設けられた領域を覆い、この領域と隣接した領域を覆っていない請求項５０に記載の表示体。
【請求項５２】
請求項３８乃至５１の何れか１項に係る表示体を含んだ転写材層と、
前記転写材層を剥離可能に支持した支持体と
を備えた転写箔。
【請求項５３】
請求項３８乃至５１の何れか１項に係る表示体と、
前記表示体の一方の主面に設けられた粘着層と
を備えた粘着ラベル。
【請求項５４】
請求項３８乃至５１の何れか１項に係る表示体と、
前記表示体を支持した物品と
を備えたラベル付き物品。
【請求項５５】
前記物品に設けられた印刷層を更に備えた請求項５４に記載のラベル付き物品。
【請求項５６】
前記印刷層は、前記顔画像を印刷画像として表示する請求項５５に記載のラベル付き物品。
【発明の詳細な説明】
【技術分野】
【０００１】
本発明は、表示体、転写箔、粘着ラベル及びラベル付き物品に関する。
【背景技術】
【０００２】
従来から、物品が真正品であることを証明する目的で、偽造や複製が困難なホログラムが利用されている。例えば、顔画像などの個人情報が記録されたカードに、ホログラムを含んだ透明フィルムを貼り合わせると、個人情報を改竄から保護することができる。また、紙幣や有価証券においてホログラムを使用すると、それらの不正な複製を抑止することができる。更に、近年、ＩＤ（identification）カード等に、ホログラムを利用して顔画像を記録することも提案されている（特許文献１及び２）。
【先行技術文献】
【特許文献】
【０００３】
【特許文献１】日本国特開２０１４−８７４６号公報
【特許文献２】日本国特開２０１４−１６４１８号公報
【発明の概要】
【発明が解決しようとする課題】
【０００４】
人物、動物、植物、建造物、及び風景等の立体物の画像を表示するホログラムは、偽造が難しい。即ち、そのようなホログラムが表示する画像と完全に一致する画像を表示するホログラムを偽造することは難しい。そして、ホログラムが立体物の画像を表示する場合、画像の違いが僅かであっても、観察者に違和感を与え得る。【０００５】
例えば、その画像の元画像が広く知られている場合、偽造品としてのホログラムが表示する画像が、真正品としてのホログラムが表示する画像ほど、元画像を忠実に再現していない場合、観察者は、前者が偽造品であると容易に判定することができる。また、真正品としてのホログラムが人物の顔画像を表示する場合、表情などの僅かな違いから、真正品と偽造品とを判別することができる。【０００６】
但し、本発明者らは、以下の事実を見出している。即ち、立体物の画像を表示するホログラムは、両眼視差を利用した三次元画像を表示する構成を採用しない限り、観察者に立体感を与える画像を表示しない。
そこで、第１発明は、観察者が立体感を感じ易い回折画像を表示する表示体を提供可能とすることを目的とする。【０００７】
また、本発明者らは、以下の事実を見出している。即ち、ホログラムが表示する顔画像は、生き生きとして見えない。
そこで、第２発明は、回折画像として生き生きとして見える顔画像を表示する表示体を提供可能とすることを目的とする。
【課題を解決するための手段】
【０００８】
＜第１発明＞
本発明の一側面によると、立体物の画像を回折画像として表示するレリーフ型の回折構造が一方の主面に設けられたレリーフ構造形成層と、前記主面のうち前記回折構造が設けられた領域を少なくとも部分的に覆った反射層とを具備し、前記領域は、第１及び第２領域を含み、前記回折構造のうち前記第１領域に設けられた部分は、幅方向に配列した複数の第１線状部と、幅方向に配列し且つ前記複数の第１線状部と交差して、前記複数の第１線状部とともに第１格子を形成した複数の第２線状部と、前記第１格子の複数の隙間にそれぞれ配置された複数の第１部分とからなり、前記複数の第１及び第２線状部の各々は実線状である第１パターンを形成し、前記回折構造のうち前記第２領域に設けられた部分は、幅方向に交互に配列した複数の第３線状部及び複数の第４線状部からなり、前記複数の第３線状部の各々は破線状であり、前記複数の第４線状部の各々は破線状又は点線状である第２パターンを形成している表示体が提供される。【０００９】
この表示体では、上記の通り、回折構造は、第１及び第２パターンを含んでいる。第１パターンは、互いに交差して第１格子を形成した第１及び第２線状部と、第１格子の隙間に配置された第１部分とからなり、第１及び第２線状部の各々は実線状である。他方、第２パターンは、幅方向に交互に配列した第３及び第４線状部からなり、第３線状部の各々は破線状であり、第４線状部の各々は破線状又は点線状である。それ故、例えば、これらの構造の違いを利用して、回折画像のうち第１及び第２領域に対応した部分に、明るさの相違を生じさせることができる。例えば、回折画像において、第１領域に対応した部分を第２領域に対応した部分よりも明るくすることができる。このような回折画像における明るさの相違は、観察者が立体感を感じるのに寄与し得る。【００１０】
また、第１パターンは第１及び第２線状部を含み、第１線状部は幅方向に配列し、第２線状部は、第１線状部とともに第１格子を形成するように、幅方向に配列している。他方、第２パターンは第３及び第４線状部で構成され、第３及び第４線状部は、幅方向に交互に配列している。このような配置も、観察者が立体感を感じるのに寄与し得る。
従って、この表示体は、観察者が立体感を感じ易い回折画像を表示することが可能である。【００１１】
本発明の他の側面によると、前記第１領域と前記第２領域とは隣接している、上記側面に係る表示体が提供される。
第１及び第２領域が隣接している場合、観察者は、回折画像について上述した明るさの相違を知覚し易い。また、この場合、観察者は、第１パターンにおける第１及び第２線状部の構造及び配置と、第２パターンにおける第３及び第４線状部の構造及び配置との一致点及び相違点を知覚し易い。それ故、第１及び第２領域が隣接している場合、このような配置は、観察者が立体感を強く感じる画像を表示可能とするうえで有利である。【００１２】
本発明の更に他の側面によると、前記複数の第３線状部の１以上は、前記複数の第１線状部の１以上の延長線上に位置している、上記側面の何れかに係る表示体が提供される。【００１３】
この構造は、例えば、立体物の表面形状の連続的な変化や、その画像の明るさの連続的な変化を、回折画像において再現するのに適している。【００１４】
本発明の更に他の側面によると、前記第２領域の面積に占める前記第２パターンの面積の割合は、前記第１領域の面積に占める前記第１パターンの面積の割合と比較してより小さい、上記側面の何れかに係る表示体が提供される。
この構造は、回折画像において、第１領域に対応した部分を第２領域に対応した部分よりも明るくするのに適している。【００１５】
本発明の更に他の側面によると、前記反射層のうち前記第１及び第２領域上に位置した部分は、前記第１及び第２パターンのみを被覆している、上記側面の何れかに係る表示体が提供される。【００１６】
この表示体は、例えば、紙などの光散乱性を有している物品上に設置した場合、観察者は、表示体からの正反射光及び回折光の何れも見えない観察条件下では、第１及び第２領域に対応した領域のうち、第１及び第２パターンに対応した部分からの光を知覚せず、その他の部分からの散乱光を知覚する。それ故、例えば、回折画像において、第１領域に対応した部分が第２領域に対応した部分よりも明るく見える場合、正反射光及び回折光の何れも見えない観察条件下では、表示体のうち、第１領域に対応した部分は第２領域に対応した部分よりも暗く見える。このような明るさの相違は、正反射光及び回折光の何れも見えない観察条件下で表示体が表示する画像に対して、観察者が立体感を感じるのに寄与し得る。【００１７】
そして、第１及び第２パターンの各々における線状部の上記配置は、正反射光及び回折光の何れも見えない観察条件下で表示体が表示する画像に対して、観察者が立体感を感じるのに寄与し得る。【００１８】
従って、この表示体は、正反射光及び回折光の何れも見えない観察条件下でも、観察者が立体感を感じ易い画像を表示することができる。【００１９】
このように、この表示体は、回折光が見える観察条件下では、観察者が立体感を感じ易い回折画像を表示することができ、正反射光及び回折光の何れも見えない観察条件下でも、観察者が立体感を感じ易い画像を表示することができる。そして、これら画像は、明暗が反転した関係にある。即ち、この表示体は、観察条件に拘らず、観察者が立体感を感じ易い画像を表示することができ、この画像は、観察条件に応じて明暗が反転する。【００２０】
本発明の更に他の側面によると、前記回折構造が設けられた前記領域は、第３領域を更に含み、前記回折構造のうち前記第３領域に設けられた部分は、幅方向に配列した複数の第５線状部と、幅方向に配列し且つ前記複数の第５線状部と交差して、前記複数の第５線状部とともに第２格子を形成した複数の第６線状部と、前記第２格子の複数の隙間にそれぞれ配置された複数の第２部分とからなり、前記複数の第５線状部の各々は実線状又は破線状であり、前記複数の第６線状部の各々は破線状又は点線状である第３パターンを形成している上記側面の何れかに係る表示体が提供される。【００２１】
この表示体では、上記の通り、回折構造は、第３パターンを更に含んでいる。第３パターンは、第１パターンの構造と第２パターンの構造との中間の構造を有している。それ故、例えば、これらの構造の違いを利用して、回折画像のうち第１乃至第３領域に対応した部分に、明るさの相違を生じさせることができる。例えば、回折画像において、第１領域に対応した部分を第２領域に対応した部分よりも明るくし、第３領域に対応した部分を、第１領域に対応した部分の明るさと第２領域に対応した部分の明るさとの中間の明るさにすることができる。即ち、この表示体では、回折画像の階調数を３以上とすることができる。【００２２】
また、第１パターンは第１及び第２線状部を含み、第１線状部は幅方向に配列し、第２線状部は、第１線状部とともに第１格子を形成するように、幅方向に配列している。他方、第２パターンは第３及び第４線状部で構成され、第３及び第４線状部は、幅方向に交互に配列している。そして、第３パターンは第５及び第６線状部を含み、第５線状部は幅方向に配列し、第６線状部は、第５線状部とともに第２格子を形成するように、幅方向に配列している。このような配置も、観察者が立体感を感じるのに寄与し得る。
従って、この表示体は、観察者が立体感をより強く感じ得る回折画像を表示することが可能である。【００２３】
本発明の更に他の側面によると、前記第１領域と前記第２領域とは、前記第３領域を間に挟んで隣接している、上記側面に係る表示体が提供される。
第１及び第２領域が第３領域を間に挟んで隣接している場合、観察者は、回折画像について上述した明るさの相違を知覚し易い。また、この場合、観察者は、第１パターンにおける第１及び第２線状部の構造及び配置と、第２パターンにおける第３及び第４線状部の構造及び配置と、第３パターンにおける第５及び第６線状部の構造及び配置との一致点及び相違点を知覚し易い。それ故、第１及び第２領域が第３領域を間に挟んで隣接している場合、このような配置は、観察者が立体感を強く感じる画像を表示可能とするうえで有利である。【００２４】
本発明の更に他の側面によると、前記複数の第１線状部の１以上と前記複数の第３線状部の１以上とは、前記複数の第５線状部の１以上の延長線上に位置している、上記側面の何れかに係る表示体が提供される。
この構造は、例えば、立体物の表面形状の連続的な変化や、その画像の明るさの連続的な変化を、回折画像において再現するのに適している。【００２５】
本発明の更に他の側面によると、前記第１領域の面積に占める前記第１パターンの面積の割合は、前記第３領域の面積に占める前記第３パターンの面積の割合と比較してより大きく、前記第２領域の面積に占める前記第２パターンの面積の割合は、前記第３領域の面積に占める前記第３パターンの面積の割合と比較してより小さい、上記側面の何れかに係る表示体が提供される。
この構造は、回折画像において、第１領域に対応した部分を第３領域に対応した部分よりも明るくし、第２領域に対応した部分を第３領域に対応した部分よりも暗くするのに適している。【００２６】
本発明の更に他の側面によると、前記反射層のうち前記第１乃至第３領域上に位置した部分は、前記第１乃至第３パターンのみを被覆している、上記側面の何れかに係る表示体が提供される。【００２７】
この表示体は、例えば、紙などの光散乱性を有している物品上に設置した場合、観察者は、表示体からの正反射光及び回折光の何れも見えない観察条件下では、第１乃至第３領域に対応した領域のうち、第１乃至第３パターンに対応した部分からの光を知覚せず、その他の部分からの散乱光を知覚する。それ故、例えば、回折画像において、第１領域に対応した部分が第３領域に対応した部分よりも明るく見え、第２領域に対応した部分が第３領域に対応した部分よりも暗く見える場合、正反射光及び回折光の何れも見えない観察条件下では、表示体のうち、第１領域に対応した部分は第３領域に対応した部分よりも暗く見え、第２領域に対応した部分は第３領域に対応した部分よりも明るく見える。このような明るさの相違は、正反射光及び回折光の何れも見えない観察条件下で表示体が表示する画像に対して、観察者が立体感を感じるのに寄与し得る。【００２８】
そして、第１乃至第３パターンの各々における線状部の上記配置は、正反射光及び回折光の何れも見えない観察条件下で表示体が表示する画像に対して、観察者が立体感を感じるのに寄与し得る。【００２９】
従って、この表示体は、正反射光及び回折光の何れも見えない観察条件下でも、観察者が立体感を感じ易い画像を表示することができる。【００３０】
このように、この表示体は、回折光が見える観察条件下では、観察者が立体感を感じ易い回折画像を表示することができ、正反射光及び回折光の何れも見えない観察条件下でも、観察者が立体感を感じ易い画像を表示することができる。そして、これら画像は、明暗が反転した関係にある。即ち、この表示体は、観察条件に拘らず、観察者が立体感を感じ易い画像を表示することができ、この画像は、観察条件に応じて明暗が反転する。【００３１】
本発明の更に他の側面によると、前記複数の第１部分は、前記複数の第１線状部の長さ方向と前記複数の第２線状部の長さ方向とに対して傾いた方向に各々が延び、幅方向に配列した複数の破線又は点線を形成している、上記側面の何れかに係る表示体が提供される。
第１格子の各隙間は、例えば、四角形状である。上記の構成を採用した場合、例えば、第１部分を先の四角形の対角線上に配置することができる。この配置によると、第１部分の長さへの制約が小さい。【００３２】
本発明の更に他の側面によると、前記複数の第４線状部の１以上は点線状であり、前記点線を構成している点の１以上と他の１以上とは形状が異なっている、上記側面の何れかに係る表示体が提供される。
多くの立体物は、表面が滑らかではなく、また、色も均一ではない。それ故、その像には、拡大して見た場合に明るさ等が不均一な領域が存在する。上記の構造を採用すると、回折画像に、拡大して見た場合に明るさが不均一な領域を生じさせることができる。それ故、この回折画像は、肉眼で観察した場合に、より自然に見える。【００３３】
前記点線を構成している点の前記１以上は、例えば、円形又は四角形状である。他方、前記点線を構成している点の前記他の１以上は、例えば、鉤型状である。【００３４】
本発明の更に他の側面によると、前記複数の第３線状部と前記複数の第４線状部とは、単位長さに占める隙間の割合が異なっている、上記側面の何れかに係る表示体が提供される。
前記複数の第３線状部と前記複数の第４線状部とは、単位長さに占める隙間の割合が等しくてもよく、異なっていてもよい。この割合を変化させることにより、回折画像のうち第２領域に対応した部分の明るさを変化させることができる。【００３５】
本発明の更に他の側面によると、前記回折構造が設けられた前記領域は第４領域を更に含み、前記回折画像のうち前記第４領域に設けられた部分は、幅方向に配列した複数の第７線状部と、幅方向に配列し且つ前記複数の第７線状部と交差して、前記複数の第７線状部とともに第３格子を形成した複数の第８線状部とからなり、前記複数の第７及び第８線状部は、実線状、破線状又は点線状である第４パターンを形成している、上記側面の何れかに係る表示体が提供される。
第４パターンは、回折画像に明るさの相違を生じさせるのに利用することができる。また、第４パターンを構成している第７及び第８線状部の配置は、観察者が立体感を感じるのに寄与し得る。従って、この表示体は、観察者が立体感をより強く感じ得る回折画像を表示することが可能である。【００３６】
本発明の更に他の側面によると、前記第４領域は、前記第１領域と隣接している、上記側面に係る表示体が提供される。
第４領域が第１領域と隣接している場合、観察者は、回折画像について上述した明るさの相違を知覚し易い。また、この場合、観察者は、第１パターンにおける第１及び第２線状部の構造及び配置と、第４パターンにおける第７及び第８線状部の構造及び配置との一致点及び相違点を知覚し易い。それ故、第４領域が第１領域と隣接している場合、このような配置は、観察者が立体感を強く感じる画像を表示可能とするうえで有利である。【００３７】
本発明の更に他の側面によると、前記複数の第７線状部の１以上は、前記複数の第１線状部の１以上又は前記複数の第２線状部の１以上の延長線上に位置している、上記側面の何れかに係る表示体が提供される。
この構造は、例えば、立体物の表面形状の連続的な変化や、その画像の明るさの連続的な変化を、回折画像において再現するのに適している。【００３８】
本発明の更に他の側面によると、前記第１領域の面積に占める前記第１パターンの面積の割合は、前記第４領域の面積に占める前記第４パターンの面積の割合と比較してより大きい、上記側面の何れかに係る表示体が提供される。
この構造は、回折画像において、第１領域に対応した部分を第４領域に対応した部分よりも明るくするのに適している。【００３９】
本発明の更に他の側面によると、前記複数の第７線状部及び前記複数の第８線状部の少なくとも一方は破線状又は点線状であり、前記複数の第７線状部と前記複数の第８線状部とは、単位長さに占める隙間の割合が異なっている、上記側面の何れかに係る表示体が提供される。
前記複数の第７線状部と前記複数の第８線状部とは、単位長さに占める隙間の割合が等しくてもよく、異なっていてもよい。この割合を変化させることにより、回折画像のうち第２領域に対応した部分の明るさを変化させることができる。【００４０】
本発明の更に他の側面によると、前記回折構造が設けられた前記領域は第５領域を更に含み、前記回折構造のうち前記第５領域に設けられた部分は、幅方向に配列した複数の第９線状部からなり、前記複数の第９線状部は実線状である第５パターンを形成している、上記側面の何れかに係る表示体が提供される。
第５パターンは、例えば、回折画像において毛髪を表現するのに利用可能である。【００４１】
本発明の更に他の側面によると、前記線状部は、幅が１０μｍ乃至１００μｍの範囲内にある、上記側面の何れかに係る表示体が提供される。
線状部の幅を小さくしすぎると、線状部の形状や配置が立体感を強める効果が小さくなる。線状部の幅が大き過ぎると、観察者は、画質が低いと認識する可能性がある。【００４２】
前記複数の第１部分は、幅又は径が１０μｍ乃至１００μｍの範囲内にあることが好ましい。また、前記複数の第２部分も、幅又は径が１０μｍ乃至１００μｍの範囲内にあることが好ましい。【００４３】
本発明の更に他の側面によると、前記線状部の１以上は、長さ方向に沿って幅が変化しているか、又は、前記線状部の２以上は、幅が互いに異なっている、上記側面の何れかに係る表示体が提供される。
例えば、上記パターンの何れかにおいて、１以上の線状部の幅を、各線状部の一端から他端へ向けて増加させると、回折画像における明るさを、一端から他端へ向けて高めることができる。また、上記パターンの何れかにおいて、幅方向に配列した２以上の線状部の幅を、それら線状部の配列の一端から他端へ向けて増加させると、回折画像における明るさを、一端から他端へ向けて高めることができる。【００４４】
本発明の更に他の側面によると、前記線状部の１以上は、その線状部の長さ方向に各々が延び、幅方向に隣接した第１及び第２線状領域を含み、前記第１及び第２線状領域は、肉眼で観察した場合に回折光によってそれらを互いから区別可能に構成された、上記側面の何れかに係る表示体が提供される。【００４５】
この構造を採用した場合、第１及び第２線状領域の一方は、それらの他方の影の如く見える。即ち、この構造を採用した線状部は、それ自体が立体的に見える。それ故、この構造は、観察者が立体感を強く感じる画像を表示可能とするうえで有利である。【００４６】
ここで、「第１及び第２線状領域」が「肉眼で観察した場合に回折光によってそれらを互いから区別可能に構成され」ているとは、第１及び第２線状領域が、同一の観察条件下で、違う色であると認識され得る程度に波長が異なる回折光を射出するとともに、互いから区別可能な寸法を有していることを意味している。第１及び第２線状領域は、特定の観察条件下で、波長が１５ｎｍ以上異なる回折光を射出することが好ましい。また、第１及び第２線状領域の各々の幅方向の寸法は、２μｍ乃至５０μｍの範囲内にあることが好ましい。【００４７】
第１及び第２線状領域の一方を他方の影の如く見せるうえでは、第１及び第２線状領域は、幅が異なっていることが好ましい。第１及び第２線状領域の幅のうちより小さなものが、第１線状領域の幅と第２線状領域の幅との合計に占める割合は、２０％以上５０％未満の範囲内にあることがより好ましい。【００４８】
線状部の２以上が第１及び第２線状領域を含んでいる場合、それら線状部は、第１及び第２線状領域の配列方向及び配列順が等しいことが好ましい。この構造を採用すると、回折画像を観察した観察者は、強い立体感をより感じ易くなる。【００４９】
本発明の更に他の側面によると、前記回折構造は、前記回折画像として多色画像を表示するように構成された、上記側面の何れかに係る表示体が提供される。
上記表示体は、回折画像として単色画像を表示するように構成することもでき、回折画像として多色画像を表示するように構成することもできる。【００５０】
上記表示体を回折画像として多色画像を表示するように構成した場合、前記線状部の１以上は、波長が異なる回折光を射出し、それら回折光の加法混色による色表現をするように構成された複数のサブ領域を含んでいてもよい。【００５１】
この場合、前記線状部のうち前記複数のサブ領域を含んだものでは、前記複数のサブ領域は、これらサブ領域を含んだ前記線状部の長さ方向に配列していてもよい。或いは、この場合、前記線状部のうち前記複数のサブ領域を含んだものでは、前記複数のサブ領域は、これらサブ領域を含んだ前記線状部の幅方向に配列していてもよい。或いは、前記線状部のうち前記複数のサブ領域を含んだものでは、前記複数のサブ領域は、これらサブ領域を含んだ前記線状部の長さ方向及び幅方向に配列していてもよい。
このように、サブ領域には、様々な配置を採用することができる。【００５２】
前記複数のサブ領域の各々は、それらの配列方向における寸法が、３μｍ乃至４０μｍの範囲内にあることが好ましい。この寸法を小さくすると、明るい回折画像の表示が難しくなる。この寸法が大きい場合、波長が異なる回折光を射出するサブ領域が別々の領域として知覚され得る。【００５３】
本発明の更に他の側面によると、前記領域の１つが含んでいる前記複数の線状部の配列は、前記回折画像において、全体に亘って略同色を表示するように構成される、上記側面の何れかに係る表示体が提供される。或いは、本発明の更に他の側面によると、前記領域の１つが含んでいる前記複数の線状部の配列は、前記回折画像において、何れかの方向へ色が徐々に変化するように構成される、上記側面の何れかに係る表示体が提供される。【００５４】
本発明の更に他の側面によると、前記領域の他の１つが含んでいる前記複数の線状部の配列は、前記回折画像において、全体に亘って略同色を表示するように構成される、上記側面に係る表示体が提供される。或いは、本発明の更に他の側面によると、前記領域の他の１つが含んでいる前記複数の線状部の配列は、前記回折画像において、何れかの方向へ色が徐々に変化するように構成される、上記側面に係る表示体が提供される。【００５５】
前記領域の前記１つと前記領域の前記他の１つとが隣接している場合、前記領域の前記１つが含んでいる前記複数の線状部及び前記領域の前記他の１つが含んでいる前記複数の線状部のうち、それら領域の境界近傍に位置したものは、前記回折画像において略同色を表示することが好ましい。このような構成は、より自然な階調表現を可能とする。【００５６】
本発明の更に他の側面によると、前記領域の１つが含んでいる、前記複数の線状部と前記複数の第１又は第２部分との配列は、前記回折画像において、全体に亘って略同色を表示するように構成される、上記側面の何れかに係る表示体が提供される。或いは、本発明の更に他の側面によると、前記領域の１つが含んでいる、前記複数の線状部と前記複数の第１又は第２部分との配列は、前記回折画像において、何れかの方向へ色が徐々に変化するように構成される、上記側面の何れかに係る表示体が提供される。【００５７】
本発明の更に他の側面によると、前記領域の他の１つが含んでいる前記複数の線状部の配列は、前記回折画像において、全体に亘って略同色を表示するように構成される、上記側面に係る表示体が提供される。或いは、本発明の更に他の側面によると、前記領域の他の１つが含んでいる前記複数の線状部の配列は、前記回折画像において、何れかの方向へ色が徐々に変化するように構成される、上記側面に係る表示体が提供される。【００５８】
前記領域の前記１つと前記領域の前記他の１つとが隣接している場合、前記領域の前記１つが含んでいる、前記複数の線状部及び前記複数の第１又は第２部分、並びに、前記領域の前記他の１つが含んでいる前記複数の線状部のうち、それら領域の境界近傍に位置したものは、前記回折画像において略同色を表示することが好ましい。このような構成は、より自然な階調表現を可能とする。【００５９】
本発明の更に他の側面によると、前記第１領域が含んでいる、前記複数の第１及び第２線状部と前記複数の第１部分との配列は、前記回折画像において、全体に亘って略同色を表示するように構成される、上記側面の何れかに係る表示体が提供される。或いは、本発明の更に他の側面によると、前記第１領域が含んでいる、前記複数の第１及び第２線状部と前記複数の第１部分との配列は、前記回折画像において、何れかの方向へ色が徐々に変化するように構成される、上記側面の何れかに係る表示体が提供される。【００６０】
或いは、本発明の更に他の側面によると、前記第３領域が含んでいる、前記複数の第５及び第６線状部と前記複数の第２部分との配列は、前記回折画像において、全体に亘って略同色を表示するように構成される、上記側面の何れかに係る表示体が提供される。或いは、本発明の更に他の側面によると、前記第３領域が含んでいる前記複数の第５及び第６線状部と前記複数の第２部分との配列は、前記回折画像において、何れかの方向へ色が徐々に変化するように構成される、上記側面の何れかに係る表示体が提供される。【００６１】
前記第１領域と前記第３領域とが隣接している場合、前記複数の第１、第２、第５及び第６線状部並びに前記複数の第１及び第２部分のうち、それら領域の境界近傍に位置したものは、前記回折画像において略同色を表示することが好ましい。このような構成は、より自然な階調表現を可能とする。【００６２】
本発明の更に他の側面によると、前記主面は、前記パターンの１以上と各々が隣り合った１以上の隙間部を含んだ、上記側面の何れかに係る表示体が提供される。前記１以上の隙間部の各々は、平坦面であってもよく、レリーフ構造が設けられた面であってもよい。一例によれば、前記レリーフ構造は、互いに交差する二方向に配列した複数の凹部又は凸部である。他の例によれば、前記レリーフ構造は、ランダムに配置された複数の凹部又は凸部である。前記複数の凹部又は凸部は、例えば、前記回折構造を構成している複数の溝又は畝と比較して、幅に対する深さ又は高さの比がより大きい。また、前記複数の凹部又は凸部は、例えば、前記回折構造を構成している複数の溝又は畝と比較して、中心間距離がより小さい。【００６３】
前記レリーフ構造を設けると、例えば、前記反射層をパターニングされた層として容易に得ることができる。例えば、前記回折構造と前記レリーフ構造とが設けられた前記主面に、スパッタリングや真空蒸着などの気相堆積法により、アルミニウムなどの反射層の材料からなる第１層を形成する。続いて、その上に、スパッタリングや真空蒸着などの気相堆積法により、無機酸化物などの反射層の材料とは異なる材料からなる第２層を形成する。第２層は、レリーフ構造を構成している凹部の底の位置又はレリーフ構造を構成している凸部の境界の位置で開口するように、十分に薄く形成する。その後、第２層に対してエッチング剤を供給し、これにより、第１及び第２層のうち、レリーフ構造上に位置した部分を選択的に除去する。このようにして、前記反射層を、パターニングされた層として得ることができる。【００６４】
本発明の更に他の側面によると、前記立体物の画像は、人物、動物、植物、建造物、及び風景の画像の１以上を含んだ、上記側面の何れかに係る表示体が提供される。
上述した技術は、立体物の画像が、人物、動物、植物、建造物、及び風景の画像の１以上を含んでいる場合に、特に効果的である。【００６５】
本発明の更に他の側面によると、前記立体物の画像は人物の肖像、好ましくは顔画像を含んだ、上記側面の何れかに係る表示体が提供される。
ヒトの脳には、「顔反応性細胞（又は顔細胞）」と呼ばれる神経細胞の領域がある。顔細胞は、目、鼻、及び口に、特に敏感に反応すると言われている。顔細胞は、目、鼻、及び口に加え、ほほや輪郭等のそれらの周囲の部位を含む顔全体の画像から、人物を識別することを可能とする。それ故、ヒトは、顔画像を、他の画像と比べてより高い精度で認識することができる。従って、立体物の画像が人物の肖像、特には顔画像を含んでいる場合、ヒトは、真正品としての表示体と、偽造品としての表示体とを、回折画像の僅かな違いに基づいて、互いから容易に識別することができる。【００６６】
第１及び第２領域又は第１乃至第３領域は、人物の顔に対応した領域に配置されていることが好ましく、人物の顔の皮膚に対応した領域に配置されていることがより好ましく、人物の顔の皮膚に対応した領域であって、鼻、頬、額、こめかみ、眉間、上瞼、下瞼、口、及び顎の１以上に対応した位置に配置されていることが更に好ましい。【００６７】
本発明の更に他の側面によると、前記複数の第１線状部と前記複数の第３線状部とは、前記人物の鼻又は目から斜め下方へ各々が延びた複数の線上に位置するように、及び、前記複数の第３線状部が前記複数の第１線状部と前記人物の鼻又は目との間に位置するように配置されている、上記側面に係る表示体が提供される。或いは、本発明の更に他の側面によると、前記複数の第１線状部と前記複数の第３線状部とは、前記人物の鼻又は目から斜め下方へ各々が延びた複数の線上に位置するように、及び、前記複数の第１線状部が前記複数の第３線状部と前記人物の鼻又は目との間に位置するように配置されている、上記側面に係る表示体が提供される。
このような構成を採用した場合、回折画像が含んでいる顔画像を観察した観察者は、立体感をより強く感じることができる。【００６８】
本発明の更に他の側面によると、前記回折構造は、幅方向に配列した複数の溝又は畝からなる回折格子を含んだ、上記側面の何れかに係る表示体が提供される。前記複数の溝又は畝のピッチは、５００ｎｍ乃至２０００ｎｍの範囲内にあることが好ましい。【００６９】
レリーフ構造形成層の材料としては、例えば、熱可塑性樹脂、熱硬化性樹脂、又は紫外線若しくは電子線硬化性樹脂を使用する。熱可塑性樹脂としては、例えば、アクリル樹脂、エポキシ樹脂、セルロース樹脂又はビニル樹脂を使用する。熱硬化性樹脂としては、例えば、反応性水酸基を有するアクリルポリオール若しくはポリエステルポリオールにポリイソシアネートを架橋剤として添加して架橋させたウレタン樹脂、メラミン樹脂又はフェノール樹脂を使用する。紫外線又は電子線硬化性樹脂としては、例えば、アクリル樹脂を使用できる。アクリル樹脂としては、例えば、エポキシアクリル、エポキシメタクリル、ウレタンアクリレート又はウレタンメタクリレートを使用する。【００７０】
レリーフ構造形成層は、例えば、以下の方法より形成することができる。例えば、熱可塑性樹脂層に、レリーフ構造が設けられた原版を、熱を印加しながら押し当て、その後、熱可塑性樹脂層から原版を取り除く。或いは、紫外線硬化性樹脂からなる塗膜を形成し、これに原版を押し当てながら紫外線を照射して紫外線硬化性樹脂を硬化させ、その後、塗膜から原版を取り除く。或いは、熱硬化性樹脂からなる塗膜を形成し、これに原版を押し当てながら加熱して熱硬化性樹脂を硬化させ、その後、塗膜から原版を取り除く。レリーフ構造形成層の厚さは、例えば、１μｍ以上２５μｍ以下とすることができる。【００７１】
反射層としては、例えば、アルミニウム、銀、金、及びそれらの合金などの金属材料からなる金属層を使用することができる。或いは、反射層として、レリーフ構造形成層とは屈折率が異なる誘電体層を使用してもよい。或いは、反射層として、隣り合うもの同士の屈折率が異なる誘電体層の積層体、即ち、誘電体多層膜を使用してもよい。なお、誘電体多層膜が含む誘電体層のうち、レリーフ構造形成層と接触しているものの屈折率は、レリーフ構造形成層の屈折率とは異なっていることが望ましい。反射層は、例えば、真空蒸着法及びスパッタリング法などの気相堆積法により形成することができる。誘電体層又は誘電体多層膜には、無機化合物又は有機化合物を使用できる。【００７２】
無機化合物としては、例えば、酸化物、硫化物、及び窒化物が挙げられる。酸化物としては、例えば、金属酸化物やシリコン酸化物（ＳｉＯ）を用いることができる。窒化物としては、例えば、金属窒化物を用いることができる。硫化物としては、例えば、金属硫化物を用いることができる。金属酸化物としては、例えば、チタン酸化物（ＴｉＯ）、酸化亜鉛（ＺｎＯ）、又はアルミナを用いることができる。硫化物としては、例えば、硫化亜鉛（ＺｎＳ）又は硫化アルミニウム（ＡｌＳ）を用いることができる。窒化物としては、例えば、窒化カルシウム（ＣａＮ）を用いることができる。【００７３】
反射層のレリーフ構造側とは反対側の面には、反射保護層が設けられていてもよい。反射保護層を部分的に開口した層として形成し、この反射保護層をエッチングマスクとして用いて、反射層のうち反射保護層で覆われていない部分を選択的にエッチングすることで、レリーフ構造面を部分的に覆った反射層を得ることができる。【００７４】
反射保護層には、例えば、無機化合物、ポリマー、又はそれらの組み合わせを用いることができる。無機化合物としては、例えば、酸化物又は窒化物を用いることができる。酸化物は、例えば、シリコン酸化物（ＳｉＯ）又はアルミナであり、窒化物は、例えば、窒化カルシウム（ＣａＮ）、窒化チタン（ＴｉＮ）又は窒化アルミニウム（ＡｌＮ）である。ポリマーは、例えば、ウレタン樹脂又はアクリル樹脂である。
反射層の厚さは、例えば、１０ｎｍ以上５００ｎｍ以下とすることができる。【００７５】
本発明の更に他の側面によると、上記側面の何れかに係る表示体を含んだ転写材層と、前記転写材層を剥離可能に支持した支持体とを具備した転写箔が提供される。【００７６】
一例によれば、転写材層は、互いに隣接した転写部及び非転写部を含んでいる。転写部は、転写材層のうち、物品へ転写される部分であって、上記の表示体を含んでいる。非転写部は、転写材層のうち、物品へ転写されずに残留する部分である。非転写部は、転写部と同様の層構成を有している。【００７７】
支持体は、例えば、樹脂フィルム又はシートである。支持体は、例えば、ポリエチレンテレフタレートなどの耐熱性に優れた材料からなる。支持体の転写材層を支持している主面には、例えばフッ素樹脂又はシリコーン樹脂を含んだ離型層が設けられていてもよい。支持体の厚さは、４μｍ以上５０μｍ以下とすることができる。【００７８】
本発明の更に他の側面によると、前記転写材層は、前記表示体と前記支持体との間に介在した剥離保護層を更に含んだ上記側面に係る転写箔が提供される。
剥離保護層は、転写部の支持体からの剥離を容易にするとともに、剥離した転写部、即ち、表示体の表面を損傷及び劣化から保護する役割を果たす。剥離保護層は、例えば、光透過性を有している。剥離保護層は、例えば樹脂からなる。剥離保護層を構成している樹脂は、例えば、紫外線硬化した樹脂、熱硬化した樹脂、又は、熱可塑性樹脂である。この樹脂には、例えば、アクリル樹脂を用いることができる。剥離保護層の厚さは、例えば、０．５μｍ以上５μｍ以下とすることができる。【００７９】
本発明の更に他の側面によると、前記転写材層を被覆した接着層を更に具備した転写箔が提供される。【００８０】
接着層は、例えば熱可塑性樹脂からなる。熱可塑性樹脂としては、例えば、ポリエチレン樹脂、ポリエステル樹脂、アクリル樹脂、及びオレフィン樹脂が挙げられる。接着層の厚さは、例えば、０．５μｍ以上２０μｍ以下とすることができる。【００８１】
本発明の更に他の側面によると、上記側面の何れかに係る表示体と、前記表示体の一方の主面に設けられた粘着層とを具備した粘着ラベルが提供される。【００８２】
粘着層は、感圧接着剤などの粘着剤からなる。粘着剤としては、例えば、塩化ビニル−酢酸ビニル共重合体、ポリエステル系ポリアミド、又は、アクリル系、ブチルゴム系、天然ゴム系、シリコーン系若しくはポリイソブチル系粘着剤を使用する。【００８３】
粘着剤は、添加剤を更に含んでいてもよい。添加剤としては、例えば、アルキルメタクリレート、ビニルエステル、アクリルニトリル、スチレン及びビニルモノマーなどの凝集成分；不飽和カルボン酸、ヒドロキシ基含有モノマー及びアクリルニトリルなどの改質成分；重合開始剤；可塑剤；硬化剤；硬化促進剤；酸化防止；又はそれらの２つ以上を含んだ混合物を使用する。【００８４】
本発明の更に他の側面によると、上記側面の何れかに係る表示体と、前記表示体を支持した物品とを具備したラベル付き物品が提供される。  
物品は、どのような方法で表示体を支持していてもよい。例えば、表示体は、物品の表面に貼り付けられていてもよく、物品内に埋め込まれていてもよい。【００８５】
本発明の更に他の側面によると、前記物品上に設けられた印刷層を更に備えた上記側面に係るラベル付き物品が提供される。【００８６】
前記印刷層は、前記立体物の前記画像を印刷画像として表示することが好ましい。この場合、観察者は、前記立体物の前記画像と前記印刷画像とを対比することができる。【００８７】
本発明の更に他の側面によると、前記物品は、プラスチック、金属、紙、又はそれらの複合体を含んだ上記側面に係るラベル付き物品が提供される。【００８８】
本発明の更に他の側面によると、前記物品は紙を含み、前記表示体は前記紙に漉き込まれ、前記紙は前記表示体の位置で開口している上記側面の何れかに係るラベル付き物品が提供される。【００８９】
本発明の更に他の側面によると、前記ラベル付き物品は、紙幣、有価証券、証明書類、クレジットカード、パスポート及びＩＤ（identification）カードなどの個人認証媒体、内容物を包装した包装体である上記側面の何れかに係るラベル付き物品が提供される。【００９０】
＜第２発明＞
本発明の一側面によると、眼を含む顔画像を回折画像として表示するレリーフ型の回折構造が一方の主面に設けられたレリーフ構造形成層を具備し、前記主面は、前記眼の瞳孔に対応した第１領域と、前記眼の虹彩の少なくとも一部に対応した第２領域とを含み、前記回折構造は、前記第１領域の位置に第１部分を含むとともに、前記第２領域の位置に、同心円状の配列を形成している複数の第２部分を含んだ表示体が提供される。【００９１】
この表示体では、回折構造は、眼を含む顔画像を回折画像として表示する。この回折構造は、眼の瞳孔に対応した第１領域に第１部分を含み、眼の虹彩に対応した第２領域に複数の第２部分を含んでいる。これら第２部分は、同心円状の配列を形成している。このような構造を採用すると、回折画像として表示される顔画像は生き生きとして見える。【００９２】
また、ヒトの脳には、「顔反応性細胞（又は顔細胞）」と呼ばれる神経細胞の領域がある。顔細胞は、眼、鼻、及び口に、特に敏感に反応すると言われている。顔細胞は、眼、鼻、及び口に加え、ほほや輪郭等のそれらの周囲の部位を含む顔全体の画像から、人物を識別することを可能とする。そして、この識別の精度には、顔画像のうち眼の画像が特に大きな影響を及ぼす。【００９３】
上記の通り、この表示体では、回折構造のうち眼に対応した領域に上記の構造を採用している。このような構造を採用した表示体が回折画像の一部として表示する眼の画像は、他の構造を採用した表示体が回折画像の一部として表示する眼の画像とは異なる。そして、ヒトは、それらの相違を容易に識別する。従って、この表示体は、例えば、偽造防止の目的で使用した場合に、優れた効果を発揮する。【００９４】
本発明の他の側面によると、前記顔画像はヒトの顔画像である上記側面に係る表示体が提供される。或いは、本発明の他の側面によると、前記顔画像はヒト以外の動物の顔画像である上記側面に係る表示体が提供される。ヒト以外の動物は、哺乳類、鳥類、爬虫類、両生類、又は魚類であってもよい。【００９５】
本発明の更に他の側面によると、前記第１部分は、前記第１領域の全体に亘って広がっている上記側面の何れかに係る表示体が提供される。このような構造は、回折画像として表示される顔画像を観察した観察者に、穏やかな表情をしているという印象を与えるのに適している。【００９６】
本発明の更に他の側面によると、前記第１部分は、円形状、楕円形状又は紡錘形状を有している上記側面の何れかに係る表示体が提供される。顔画像における瞳孔の形状は、動物の種類、顔の向き、及び眼に入射する光の強さなどに応じて異なる。【００９７】
本発明の更に他の側面によると、前記回折構造を構成している溝又は畝の長さ方向は、前記第１部分と前記複数の第２部分とで互いに等しい上記側面の何れかに係る表示体が提供される。
この構造を採用すると、第１部分と第２部分とは、溝又は畝の長さ方向に垂直な方向に強い回折光を射出する。それ故、この構造を採用した表示体は、溝又は畝の配列方向に平行な軸の周りで回転させた場合に、第１部分からの回折光の強さと、第２部分からの回折光の強さとは同様に変化する。即ち、第１部分からの回折光が強まると、第２部分からの回折光も強まる。そして、第１部分からの回折光が弱まると、第２部分からの回折光も弱まる。従って、この構造を採用した表示体が回折画像として表示する顔画像は、この構造を採用していない表示体が回折画像として表示する顔画像と比較して、観察方向又は照明方向を変化させた場合により自然に変化する。【００９８】
本発明の更に他の側面によると、前記回折構造を構成している溝又は畝のピッチは、前記第１部分と前記複数の第２部分とで互いに等しい上記側面の何れかに係る表示体が提供される。或いは、本発明の更に他の側面によると、前記回折構造を構成している溝又は畝のピッチは、前記第２領域の内周から前記第２領域の外周へ向けて減少又は増加している上記側面の何れかに係る表示体が提供される。或いは、本発明の更に他の側面によると、前記回折構造を構成している溝又は畝のピッチは、前記第１領域の中心から前記第２領域の外周へ向けて減少又は増加している上記側面の何れかに係る表示体が提供される。【００９９】
第１位置から第２位置へ向けて溝又は畝のピッチを減少又は増加させると、例えば、回折画像の色を第１及び第２位置間で変化させることができる。例えば、第１位置から第２位置へ向けて溝又は畝のピッチを段階的に減少又は増加させると、例えば、回折画像の色を第１及び第２位置間で段階的に変化させることができる。或いは、第１位置から第２位置へ向けて溝又は畝のピッチを連続的に減少又は増加させると、例えば、回折画像の色を第１及び第２位置間で連続的に変化させることができる。このような色の変化は、虹彩の色及び明るさの変化に類似している。従って、回折構造を構成している溝又は畝のピッチを少なくとも第２領域において上記のように変化させた場合、回折画像として表示される顔画像はより生き生きとして見える。【０１００】
本発明の更に他の側面によると、前記主面は、前記眼の強膜に対応した第３領域を更に含み、前記回折構造は、前記第３領域の位置に、同心円状の配列を形成している複数の第３部分を更に含み、前記第３領域の面積に占める前記複数の第３部分の合計面積の割合は、前記第２領域の面積に占める前記複数の第２部分の合計面積の割合と比較してより小さい上記側面の何れかに係る表示体が提供される。【０１０１】
一部の動物の顔画像では、強膜（又は白目）は瞼に隠れて見えない。他の動物の顔画像では、硬膜の一部は、瞼によって隠れずに見える。後者の場合、上記の構造を採用すると、回折画像において、眼がより立体的に見える。それ故、回折画像として表示される顔画像はより生き生きとして見える。【０１０２】
本発明の更に他の側面によると、前記複数の第３部分の幅は、前記複数の第２部分の幅と比較してより小さい上記側面に係る表示体が提供される。この構造は、第３領域の面積に占める複数の第３部分の合計面積の割合を、第２領域の面積に占める複数の第２部分の合計面積の割合と比較してより小さくするのに適している。この構造を採用した場合、複数の第３部分の幅は、複数の第２部分の幅の１０乃至７０％の範囲内にあることが好ましい。【０１０３】
本発明の更に他の側面によると、前記第３領域の面積に占める前記複数の第３部分の合計面積の割合は２０乃至５０％の範囲内にある上記側面の何れかに係る表示体が提供される。この割合が大きいと、回折画像のうち第３領域に対応した部分を、瞳孔及び光彩との比較で白目と認識することが難しい。この割合を小さくすると、回折画像として表示される顔画像から観察者が感じる精力が弱くなる。【０１０４】
本発明の更に他の側面によると、前記複数の第３部分の隣り合ったものの間の距離は、前記複数の第２部分の隣り合ったものの間の距離と比較してより大きい上記側面に係る表示体が提供される。この構造は、第３領域の面積に占める複数の第３部分の合計面積の割合を、第２領域の面積に占める複数の第２部分の合計面積の割合と比較してより小さくするのに適している。この構造を採用した場合、複数の第３部分の隣り合ったものの間の距離は、複数の第２部分の隣り合ったものの間の距離の１５０乃至１０００％の範囲内にあることが好ましい。【０１０５】
本発明の更に他の側面によると、前記複数の第２部分は実線からなる同心円状の配列を形成し、前記複数の第３部分は破線からなる同心円状の配列を形成している上記側面の何れかに係る表示体が提供される。この構造も、第３領域の面積に占める複数の第３部分の合計面積の割合を、第２領域の面積に占める複数の第２部分の合計面積の割合と比較してより小さくするのに適している。【０１０６】
本発明の更に他の側面によると、前記回折構造を構成している溝又は畝の長さ方向は、前記複数の第２部分と前記複数の第３部分とで互いに等しい上記側面の何れかに係る表示体が提供される。この構造を採用した表示体が回折画像として表示する顔画像は、この構造を採用していない表示体が回折画像として表示する顔画像と比較して、観察方向又は照明方向を変化させた場合により自然に変化する。【０１０７】
本発明の更に他の側面によると、前記回折構造を構成している溝又は畝のピッチは、前記第１部分と前記複数の第３部分とで互いに等しい上記側面の何れかに係る表示体が提供される。或いは、本発明の更に他の側面によると、前記回折構造を構成している溝又は畝のピッチは、前記第１部分と前記複数の第３部分とで異なっている上記側面の何れかに係る表示体が提供される。後者の構造は、回折画像において、第１部分と第３部分とに異なる色を表示させるのに適している。【０１０８】
第１位置から第２位置へ向けて溝又は畝のピッチを減少又は増加させると、例えば、回折画像の色を第１及び第２位置間で変化させることができる。例えば、第１位置から第２位置へ向けて溝又は畝のピッチを段階的に減少又は増加させると、例えば、回折画像の色を第１及び第２位置間で段階的に変化させることができる。或いは、第１位置から第２位置へ向けて溝又は畝のピッチを連続的に減少又は増加させると、例えば、回折画像の色を第１及び第２位置間で連続的に変化させることができる。このような色の変化は、虹彩の色及び明るさの変化に類似している。従って、回折構造を構成している溝又は畝のピッチを少なくとも第２領域において上記のように変化させた場合、回折画像として表示される顔画像はより生き生きとして見える。【０１０９】
本発明の更に他の側面によると、前記第２領域は前記虹彩の一部に対応し、前記顔画像は、前記虹彩の残りの部分と重なり合ったキャッチライトを更に含み、前記主面は、前記キャッチライトに対応した第４領域を更に含み、前記回折構造は、前記第４領域の位置に第４部分を更に含み、前記第４部分は、前記複数の第２部分の隣り合った２以上に跨るように拡がっている上記側面の何れかに係る表示体が提供される。この構造を採用した場合、回折画像における眼は、観察者により強い印象を与える。それ故、回折画像として表示される顔画像はより生き生きとして見える。【０１１０】
本発明の更に他の側面によると、前記回折構造を構成している溝又は畝の長さ方向は、前記複数の第２部分と前記第４部分とで互いに等しい上記側面に係る表示体が提供される。この構造を採用した表示体が回折画像として表示する顔画像は、この構造を採用していない表示体が回折画像として表示する顔画像と比較して、観察方向又は照明方向を変化させた場合により自然に変化する。【０１１１】
本発明の更に他の側面によると、前記回折構造を構成している溝又は畝のピッチは、前記複数の第２部分と前記第４部分とで互いに異なっている上記側面の何れかに係る表示体が提供される。この構造は、例えば、回折画像において、第２領域が表示する色と第４領域が表示する色とを異ならしめるのに適している。【０１１２】
本発明の更に他の側面によると、前記第４部分の最大径は、前記第１部分の最大径以上である。この構造を採用した場合、回折画像における眼は、観察者に更に強い印象を与える。それ故、回折画像として表示される顔画像はより生き生きとして見える。【０１１３】
本発明の更に他の側面によると、前記第４部分の最大径は、前記第１部分の最大径の０．８乃至１．５倍の範囲内にある。第４部分を過剰に大きくすると、回折画像における眼の印象が弱まるか、又は、回折画像における眼の立体感が小さくなる可能性がある。【０１１４】
本発明の更に他の側面によると、前記第４部分は、円形状又は楕円形状を有している上記側面の何れかに係る表示体が提供される。【０１１５】
本発明の更に他の側面によると、前記回折構造のうち目頭に対応した部分と目尻に対応した部分との距離は２乃至４ｍｍの範囲内にあり、前記回折構造のうち上瞼に対応した部分と下瞼に対応した部分との最大距離は１乃至１．５ｍｍの範囲内にある上記側面の何れかに係る表示体が提供される。
本発明の更に他の側面によると、前記第１部分は、３０乃至１００μｍの範囲内にある最大径を有する上記側面の何れかに係る表示体が提供される。【０１１６】
本発明の更に他の側面によると、前記複数の第２部分の各々は、その全周又は全長に亘って幅が一定である上記側面の何れかに係る表示体が提供される。
本発明の更に他の側面によると、前記複数の第２部分は、幅が互いに等しい上記側面の何れかに係る表示体が提供される。【０１１７】
本発明の更に他の側面によると、前記複数の第２部分の各々は、２０乃至８０μｍの範囲内にある幅を有する上記側面の何れかに係る表示体が提供される。
本発明の更に他の側面によると、前記複数の第２部分のうち隣り合った各２つは、５乃至１００μｍの範囲内の距離を隔てている上記側面の何れかに係る表示体が提供される。【０１１８】
本発明の更に他の側面によると、前記複数の第３部分の各々は、その全周又は全長に亘って幅が一定である上記側面の何れかに係る表示体が提供される。
本発明の更に他の側面によると、前記複数の第３部分は、幅が互いに等しい上記側面の何れかに係る表示体が提供される。【０１１９】
本発明の更に他の側面によると、前記複数の第３部分の各々は、２乃至２０μｍの範囲内にある幅を有する上記側面の何れかに係る表示体が提供される。
本発明の更に他の側面によると、前記複数の第３部分のうち隣り合った各２つは、１５乃至５００μｍの範囲内の距離を隔てている上記側面の何れかに係る表示体が提供される。【０１２０】
本発明の更に他の側面によると、前記回折構造は、前記回折画像として多色画像を表示するように構成された、上記側面の何れかに係る表示体が提供される。
上記表示体は、回折画像として単色画像を表示するように構成することもでき、回折画像として多色画像を表示するように構成することもできる。【０１２１】
本発明の更に他の側面によると、前記回折構造は、幅方向に配列した複数の溝又は畝からなる回折格子を含んだ、上記側面の何れかに係る表示体が提供される。前記複数の溝又は畝のピッチは、５００ｎｍ乃至２０００ｎｍの範囲内にあることが好ましい。【０１２２】
レリーフ構造形成層の材料は、例えば、熱可塑性樹脂、熱硬化性樹脂、又は紫外線若しくは電子線硬化性樹脂である。熱可塑性樹脂としては、例えば、アクリル樹脂、エポキシ樹脂、セルロース樹脂又はビニル樹脂を使用する。熱硬化性樹脂としては、例えば、反応性水酸基を有するアクリルポリオール若しくはポリエステルポリオールにポリイソシアネートを架橋剤として添加して架橋させたウレタン樹脂、メラミン樹脂又はフェノール樹脂を使用する。紫外線又は電子線硬化性樹脂としては、例えば、アクリル樹脂を使用できる。アクリル樹脂としては、例えば、エポキシアクリル、エポキシメタクリル、ウレタンアクリレート又はウレタンメタクリレートを使用する。【０１２３】
レリーフ構造形成層は、例えば、以下の方法より形成することができる。例えば、熱可塑性樹脂層に、レリーフ構造が設けられた原版を、熱を印加しながら押し当て、その後、熱可塑性樹脂層から原版を取り除く。或いは、紫外線硬化性樹脂からなる塗膜を形成し、これに原版を押し当てながら紫外線を照射して紫外線硬化性樹脂を硬化させ、その後、塗膜から原版を取り除く。或いは、熱硬化性樹脂からなる塗膜を形成し、これに原版を押し当てながら加熱して熱硬化性樹脂を硬化させ、その後、塗膜から原版を取り除く。レリーフ構造形成層の厚さは、例えば、１μｍ以上２５μｍ以下とすることができる。【０１２４】
本発明の更に他の側面によると、前記主面を少なくとも部分的に覆った反射層を更に具備した上記側面の何れかに係る表示体が提供される。反射層を設けると、回折画像の視認性が向上する。【０１２５】
本発明の更に他の側面によると、前記反射層は、前記主面のうち、前記回折構造が設けられた領域を覆い、この領域と隣接した領域を覆っていない上記側面に係る表示体が提供される。この構造を採用すると、回折画像の視認性が更に向上する。また、この構造を採用すると、回折画像を視認不可能な条件下でも、反射層のパターンに対応した画像を視認可能となる。【０１２６】
なお、反射層が上記主面の一部のみを覆っている場合、上記の回折構造は、先の主面に設けられたレリーフ構造のうち、反射層によって覆われており且つ回折光を射出可能な部分である。また、反射層が上記主面の全体を覆っている場合、上記の回折構造は、先の主面に設けられたレリーフ構造のうち、回折光を射出可能な部分である。【０１２７】
反射層としては、例えば、アルミニウム、銀、金、及びそれらの合金などの金属材料からなる金属層を使用することができる。或いは、反射層として、レリーフ構造形成層とは屈折率が異なる誘電体層を使用してもよい。或いは、反射層として、隣り合うもの同士の屈折率が異なる誘電体層の積層体、即ち、誘電体多層膜を使用してもよい。なお、誘電体多層膜が含む誘電体層のうち、レリーフ構造形成層と接触しているものの屈折率は、レリーフ構造形成層の屈折率とは異なっていることが望ましい。反射層は、例えば、真空蒸着法及びスパッタリング法などの気相堆積法により形成することができる。誘電体層又は誘電体多層膜には、無機化合物又は有機化合物を使用できる。【０１２８】
無機化合物としては、例えば、酸化物、硫化物、及び窒化物が挙げられる。酸化物としては、例えば、金属酸化物やシリコン酸化物（ＳｉＯ）を用いることができる。窒化物としては、例えば、金属窒化物を用いることができる。硫化物としては、例えば、金属硫化物を用いることができる。金属酸化物としては、例えば、チタン酸化物（ＴｉＯ）、酸化亜鉛（ＺｎＯ）、又はアルミナを用いることができる。硫化物としては、例えば、硫化亜鉛（ＺｎＳ）又は硫化アルミニウム（ＡｌＳ）を用いることができる。窒化物としては、例えば、窒化カルシウム（ＣａＮ）を用いることができる。【０１２９】
反射層のレリーフ構造側とは反対側の面には、反射保護層が設けられていてもよい。反射保護層を部分的に開口した層として形成し、この反射保護層をエッチングマスクとして用いて、反射層のうち反射保護層で覆われていない部分を選択的にエッチングすることで、レリーフ構造面を部分的に覆った反射層を得ることができる。【０１３０】
反射保護層には、例えば、無機化合物、ポリマー、又はそれらの組み合わせを用いることができる。無機化合物としては、例えば、酸化物又は窒化物を用いることができる。酸化物は、例えば、シリコン酸化物（ＳｉＯ）又はアルミナであり、窒化物は、例えば、窒化カルシウム（ＣａＮ）、窒化チタン（ＴｉＮ）又は窒化アルミニウム（ＡｌＮ）である。ポリマーは、例えば、ウレタン樹脂又はアクリル樹脂である。
反射層の厚さは、例えば、１０ｎｍ以上５００ｎｍ以下とすることができる。【０１３１】
本発明の更に他の側面によると、上記側面の何れかに係る表示体を含んだ転写材層と、前記転写材層を剥離可能に支持した支持体とを具備した転写箔が提供される。【０１３２】
一例によれば、転写材層は、互いに隣接した転写部及び非転写部を含んでいる。転写部は、転写材層のうち、物品へ転写される部分であって、上記の表示体を含んでいる。非転写部は、転写材層のうち、物品へ転写されずに残留する部分である。非転写部は、転写部と同様の層構成を有している。【０１３３】
支持体は、例えば、樹脂フィルム又はシートである。支持体は、例えば、ポリエチレンテレフタレートなどの耐熱性に優れた材料からなる。支持体の転写材層を支持している主面には、例えばフッ素樹脂又はシリコーン樹脂を含んだ離型層が設けられていてもよい。支持体の厚さは、４μｍ以上５０μｍ以下とすることができる。【０１３４】
本発明の更に他の側面によると、前記転写材層は、前記表示体と前記支持体との間に介在した剥離保護層を更に含んだ上記側面に係る転写箔が提供される。
剥離保護層は、転写部の支持体からの剥離を容易にするとともに、剥離した転写部、即ち、表示体の表面を損傷及び劣化から保護する役割を果たす。剥離保護層は、例えば、光透過性を有している。剥離保護層は、例えば樹脂からなる。剥離保護層を構成している樹脂は、例えば、紫外線硬化した樹脂、熱硬化した樹脂、又は、熱可塑性樹脂である。この樹脂には、例えば、アクリル樹脂を用いることができる。剥離保護層の厚さは、例えば、０．５μｍ以上５μｍ以下とすることができる。【０１３５】
本発明の更に他の側面によると、前記転写材層を被覆した接着層を更に具備した転写箔が提供される。【０１３６】
接着層は、例えば熱可塑性樹脂からなる。熱可塑性樹脂としては、例えば、ポリエチレン樹脂、ポリエステル樹脂、アクリル樹脂、及びオレフィン樹脂が挙げられる。接着層の厚さは、例えば、０．５μｍ以上２０μｍ以下とすることができる。【０１３７】
本発明の更に他の側面によると、上記側面の何れかに係る表示体と、前記表示体の一方の主面に設けられた粘着層とを具備した粘着ラベルが提供される。【０１３８】
粘着層は、感圧接着剤などの粘着剤からなる。粘着剤としては、例えば、塩化ビニル−酢酸ビニル共重合体、ポリエステル系ポリアミド、又は、アクリル系、ブチルゴム系、天然ゴム系、シリコーン系若しくはポリイソブチル系粘着剤を使用する。【０１３９】
粘着剤は、添加剤を更に含んでいてもよい。添加剤としては、例えば、アルキルメタクリレート、ビニルエステル、アクリルニトリル、スチレン及びビニルモノマーなどの凝集成分；不飽和カルボン酸、ヒドロキシ基含有モノマー及びアクリルニトリルなどの改質成分；重合開始剤；可塑剤；硬化剤；硬化促進剤；酸化防止；又はそれらの２つ以上を含んだ混合物を使用する。【０１４０】
本発明の更に他の側面によると、上記側面の何れかに係る表示体と、前記表示体を支持した物品とを具備したラベル付き物品が提供される。
物品は、どのような方法で表示体を支持していてもよい。例えば、表示体は、物品の表面に貼り付けられていてもよく、物品内に埋め込まれていてもよい。【０１４１】
本発明の更に他の側面によると、前記物品に設けられた印刷層を更に備えた上記側面に係るラベル付き物品が提供される。【０１４２】
前記印刷層は、前記立体物の前記画像を印刷画像として表示することが好ましい。この場合、観察者は、前記立体物の前記画像と前記印刷画像とを対比することができる。【０１４３】
本発明の更に他の側面によると、前記物品は、プラスチック、金属、紙、又はそれらの複合体を含んだ上記側面に係るラベル付き物品が提供される。【０１４４】
本発明の更に他の側面によると、前記物品は紙を含み、前記表示体は前記紙に漉き込まれ、前記紙は前記表示体の位置で開口している上記側面の何れかに係るラベル付き物品が提供される。【０１４５】
本発明の更に他の側面によると、前記ラベル付き物品は、紙幣、有価証券、証明書類、クレジットカード、パスポート及びＩＤ（identification）カードなどの個人認証媒体、内容物を包装した包装体である上記側面の何れかに係るラベル付き物品が提供される。【０１４６】
＜第３発明＞
第３発明は、第１発明と第２発明との組み合わせである。
本発明の一側面によると、第１発明の何れかの側面に係る表示体であって、前記立体物の画像は人物及び動物の画像の１以上を含み、第２発明の１以上の側面の特徴を備えた表示体が提供される。
本発明の他の側面によると、第１発明の何れかの側面に係る転写箔であって、前記立体物の画像は人物及び動物の画像の１以上を含み、第２発明の１以上の側面の特徴を備えた転写箔が提供される。
本発明の更に他の側面によると、第１発明の何れかの側面に係る粘着ラベルであって、前記立体物の画像は人物及び動物の画像の１以上を含み、第２発明の１以上の側面の特徴を備えた粘着ラベルが提供される。
本発明の更に他の側面によると、第１発明の何れかの側面に係るラベル付き物品であって、前記立体物の画像は人物及び動物の画像の１以上を含み、第２発明の１以上の側面の特徴を備えたラベル付き物品が提供される。【０１４７】
前記立体物の画像は、人物の肖像、特には顔画像を含んでいることが好ましい。第１発明に関して言及した第１及び第２領域又は第１乃至第３領域は、人物の顔に対応した領域に配置されていることが好ましく、人物の顔の皮膚に対応した領域に配置されていることがより好ましく、人物の顔の皮膚に対応した領域であって、鼻、頬、額、こめかみ、眉間、上瞼、下瞼、口、及び顎の１以上に対応した位置に配置されていることが更に好ましい。
【図面の簡単な説明】
【０１４８】
【図１】本発明の第１実施形態に係る表示体を概略的に示す平面図。
【図２】図１に示す表示体の断面図。
【図３】図１及び図２の表示体が含んでいる第１領域を概略的に示す平面図。
【図４】図１及び図２の表示体が含んでいる第２領域を概略的に示す平面図。
【図５】図１及び図２の表示体が含み得る第３領域の一例を概略的に示す平面図。
【図６】図１及び図２の表示体が含み得る第４領域の一例を概略的に示す平面図。
【図７】図１及び図２の表示体が含み得る第５領域の一例を概略的に示す平面図。
【図８】図１及び図２の表示体が表示する画像の元画像を得るための撮影における照明条件を概略的に示す図。
【図９】回折光及び正反射光が見えない条件下で図１及び図２の表示体が表示する画像を示す図。
【図１０】回折光又は正反射光が見える条件下で図１及び図２の表示体が表示する画像を示す図。
【図１１】本発明の第２実施形態に係る表示体が表示する画像の元画像を示す図。
【図１２】本発明の第２実施形態に係る表示体を概略的に示す平面図。
【図１３】第５領域に採用可能な構造の一例を概略的に示す平面図。
【図１４】第５領域に採用可能な構造の他の例を概略的に示す平面図。
【図１５】第４領域に採用可能な構造の一例を概略的に示す平面図。
【図１６】第１領域に採用可能な構造の一例を概略的に示す平面図。
【図１７】第９線状部に採用可能な構造の一例を概略的に示す平面図。
【図１８】第９線状部に採用可能な構造の他の例を概略的に示す平面図。
【図１９】第９線状部に採用可能な構造の更に他の例を概略的に示す平面図。
【図２０】第９線状部に採用可能な構造の更に他の例を概略的に示す平面図。
【図２１】本発明の一実施形態に係る転写箔を概略的に示す断面図。
【図２２】本発明の一実施形態に係る粘着ラベルを概略的に示す断面図。
【図２３】本発明の一実施形態に係るラベル付き物品を概略的に示す平面図。
【図２４】本発明の第３実施形態に係る表示体を概略的に示す平面図。
【図２５】図２４に示す表示体の断面図。
【図２６】図２４及び図２５の表示体が含んでいるレリーフ構造形成層の一方の主面の一部を示す平面図。
【図２７】図２６に示す構造の変形例を示す平面図。
【図２８】比較例に係る表示体が含んでいるレリーフ構造形成層の一方の主面の一部を示す平面図。
【図２９】本発明の第４実施形態に係る表示体が含んでいるレリーフ構造形成層の一方の主面の一部を示す平面図。
【図３０】図２９に示す構造の変形例を示す平面図。
【図３１】本発明の第５実施形態に係る表示体が含んでいるレリーフ構造形成層の一方の主面の一部を示す平面図。
【図３２】図３１に示す構造の変形例を示す平面図。
【図３３】本発明の第３乃至第５実施形態に係る表示体に採用可能な構造の一例を概略的に示す断面図。
【図３４】図３３に示す表示体の製造に利用可能な原版の一例を概略的に示す断面図。
【図３５】本発明の第３乃至第５実施形態に係る表示体に採用可能な構造の他の例を概略的に示す断面図。
【図３６】本発明の一実施形態に係る転写箔を概略的に示す断面図。
【図３７】本発明の一実施形態に係る粘着ラベルを概略的に示す断面図。
【図３８】本発明の一実施形態に係るラベル付き物品を概略的に示す断面図。
【発明を実施するための形態】
【０１４９】
以下に、本発明の実施形態について、図面を参照しながら説明する。なお、同様又は類似した機能を有する要素については、同一の参照符号を付し、重複する説明は省略する。
【０１５０】
＜第１発明＞
図１は、本発明の第１実施形態に係る表示体を概略的に示す平面図である。図２は、図１に示す表示体の断面図である。図３は、図１及び図２の表示体が含んでいる第１領域を概略的に示す平面図である。図４は、図１及び図２の表示体が含んでいる第２領域を概略的に示す平面図である。
【０１５１】
ここで、Ｘ方向及びＹ方向は、表示体１の主面に平行であり且つ互いに直交する方向である。また、Ｚ方向は、Ｘ方向及びＹ方向に垂直な方向であり、表示体１の厚さ方向である。
【０１５２】
図１及び図２に示す表示体１は、図２に示すように、レリーフ構造形成層１１と反射層１２とを含んでいる。この表示体１は、レリーフ構造形成層１１側が観察者と向き合う前面であり、反射層１２側が背面である。この表示体１は、反射層１２側が観察者と向き合う前面であり、レリーフ構造形成層１１側が背面であってもよい。何れの場合も、反射層１２は、レリーフ構造形成層１１のレリーフ面と接するように設置される。
【０１５３】
レリーフ構造形成層１１の一方の主面は、レリーフ型の回折構造ＲＦ１が設けられた領域Ｒａと、他の領域Ｒｂとを含んでいる。上記のレリーフ面は、レリーフ構造形成層１１の回折構造ＲＦ１が設けられた主面である。
【０１５４】
レリーフ型の回折構造ＲＦ１は、幅方向に配列した複数の溝又は畝を含んでいる。これら溝又は畝は、レリーフ型の回折構造ＲＦ１、例えば、レリーフ型の回折格子を構成している。
【０１５５】
レリーフ型の回折構造ＲＦ１は、立体物の画像を回折画像として表示する。ここで、「回折画像」は、回折光によって表示される画像である。また、ここでは、「立体物」は、右方から照明した球体である。
【０１５６】
レリーフ構造形成層１１の主面のうち、回折構造ＲＦ１が設けられた領域Ｒａは、図１に示すように、第１領域Ｒ１と第２領域Ｒ２とを含んでいる。
【０１５７】
第１領域Ｒ１は、図１に示すように、レリーフ構造形成層１１の上記主面のうち、回折画像における上記球体の一部に対応した領域である。第１領域Ｒ１は、図３に示すように、複数の第１線状部ＬＰ１と複数の第２線状部ＬＰ２と複数の第１部分ＰＰ１と複数の隙間部ＧＰとを含んでいる。図２に示す回折構造ＲＦ１のうち図１の第１領域Ｒ１に設けられた部分は、図３に示すように、複数の第１線状部ＬＰ１と複数の第２線状部ＬＰ２と複数の第１部分ＰＰ１とからなる第１パターンＰ１を形成している。
【０１５８】
第１線状部ＬＰ１は、各々が実線状であり、幅方向に配列している。第２線状部ＬＰ２は、各々が実線状である。第２線状部ＬＰ２は、幅方向に配列し且つ第１線状部ＬＰ１と交差して、第１線状部ＬＰ１とともに第１格子ＬＴ１を形成している。第１部分ＰＰ１は、各々が実線状である。第１部分ＰＰ１は、点状であってもよい。第１部分ＰＰ１は、それぞれ、第１格子ＬＴ１の隙間に配置されている。
【０１５９】
これら第１線状部ＬＰ１、第２線状部ＬＰ２及び第１部分ＰＰ１の各々は、上述した溝又は畝を含んでいる。これら溝又は畝は、幅方向に配列しており、図２に示すレリーフ型の回折構造ＲＦ１の一部、例えば、レリーフ型の回折格子を構成している。
【０１６０】
一例によれば、図１及び図３に示す第１領域Ｒ１の１以上が含んでいる、第１線状部ＬＰ１、第２線状部ＬＰ２及び第１部分ＰＰ１の配列は、回折画像において、全体に亘って略同色を表示するように構成される。他の例によれば、この配列は、回折画像において、何れかの方向へ色が徐々に変化するように構成される。
【０１６１】
第１領域Ｒ１が含んでいる隙間部ＧＰは、図３に示すように、第１領域Ｒ１のうち第１パターンＰ１と隣接した部分である。これら隙間部ＧＰは、平坦面であってもよく、図２に示すように、レリーフ構造ＲＦ２が設けられた面であってもよい。一例によれば、レリーフ構造ＲＦ２は、Ｚ方向に対して垂直であり且つ互いに交差する二方向に配列した複数の凹部又は凸部である。他の例によれば、レリーフ構造ＲＦ２は、ランダムに配置された複数の凹部又は凸部である。これら凹部又は凸部は、例えば、回折構造ＲＦ１を構成している溝又は畝と比較して、幅に対する深さ又は高さの比がより大きい。また、これら凹部又は凸部は、例えば、回折構造ＲＦ１を構成している溝又は畝と比較して、中心間距離がより小さい。レリーフ構造ＲＦ２を設けると、例えば、パターニングされた反射層１２を容易に得ることができる。
【０１６２】
第２領域Ｒ２は、図１に示すように、レリーフ構造形成層１１の上記主面のうち、回折画像における上記球体の他の一部に対応した領域である。第２領域Ｒ２は、図４に示すように、複数の第３線状部ＬＰ３と複数の第４線状部ＬＰ４と隙間部ＧＰとを含んでいる。図２に示す回折構造ＲＦ１のうち図１及び図４に示す第２領域Ｒ２に設けられた部分は、図４に示すように、複数の第３線状部ＬＰ３と複数の第４線状部ＬＰ４とからなる第２パターンＰ２を形成している。
【０１６３】
第３線状部ＬＰ３は、各々が破線状である。第４線状部ＬＰ４は、各々が点線状である。第３線状部ＬＰ３及び第４線状部ＬＰ４は、幅方向に交互に配列している。第４線状部ＬＰ４は、各々が破線状であってもよい。或いは、第４線状部ＬＰ４は、１以上が点線状であり、残りが破線状であってもよい。
【０１６４】
これら第３線状部ＬＰ３及び第４線状部ＬＰ４の各々は、上述した溝又は畝を含んでいる。これら溝又は畝は、幅方向に配列しており、図２に示すレリーフ型の回折構造ＲＦ１の他の一部、例えば、レリーフ型の回折格子を構成している。
【０１６５】
一例によれば、図１及び図４に示す第２領域Ｒ２の１以上が含んでいる第３線状部ＬＰ３及び第４線状部ＬＰ４の配列は、回折画像において、全体に亘って略同色を表示するように構成される。他の例によれば、この配列は、回折画像において、何れかの方向へ色が徐々に変化するように構成される。何れの例においても、第１領域Ｒ１が含んでいる、第１線状部ＬＰ１、第２線状部ＬＰ２及び第１部分ＰＰ１、並びに、第２領域Ｒ２が含んでいる第３線状部ＬＰ３及び第４線状部ＬＰ４のうち、第１領域Ｒ１と第２領域Ｒ２との境界近傍に位置したものは、回折画像において略同色を表示することが好ましい。
【０１６６】
図４に示す第２パターンＰ２が含んでいる第３線状部ＬＰ３及び第４線状部ＬＰ４の２以上の幅方向は、図３に示す第１パターンＰ１が含んでいる第１線状部ＬＰ１の幅方向と等しい。また、図４に示す第２領域Ｒ２の面積Ｓ２に占める第２パターンＰ２の面積ＳＰ２の割合ＳＰ２／Ｓ２は、図３に示す第１領域Ｒ１の面積Ｓ１に占める第１パターンＰ１の面積ＳＰ１の割合ＳＰ１／Ｓ１と比較してより小さい。
【０１６７】
第２領域Ｒ２が含んでいる隙間部ＧＰは、図４に示すように、第２領域Ｒ２のうち第２パターンＰ２と隣接した部分である。この隙間部ＧＰは、例えば、第１領域Ｒ１が含んでいる隙間部ＧＰと同様の構造を有し得る。
【０１６８】
図１に示す領域Ｒａは、以下に説明する第３乃至第５領域の１以上を更に含むことができる。
【０１６９】
図５は、図１及び図２の表示体が含み得る第３領域の一例を概略的に示す平面図である。図６は、図１及び図２の表示体が含み得る第４領域の一例を概略的に示す平面図である。図７は、図１及び図２の表示体が含み得る第５領域の一例を概略的に示す平面図である。
【０１７０】
図５に示す第３領域Ｒ３は、複数の第５線状部ＬＰ５と、複数の第６線状部ＬＰ６と、複数の第２部分ＰＰ２と、隙間部ＧＰとを含んでいる。第５線状部ＬＰ５、第６線状部ＬＰ６及び第２部分ＰＰ２の各々は、上述した溝又は畝を含んでいる。これら溝又は畝は、幅方向に配列しており、図２に示すレリーフ型の回折構造ＲＦ１の一部、例えば、レリーフ型の回折格子を構成し得る。この場合、図２に示す回折構造ＲＦ１のうち図５の第３領域Ｒ３に設けられた部分は、図５に示すように、複数の第５線状部ＬＰ５と複数の第６線状部ＬＰ６と複数の第２部分ＰＰ２とからなる第３パターンＰ３を形成する。
【０１７１】
第５線状部ＬＰ５は、各々が破線状であり、幅方向に配列している。第５線状部ＬＰ５は、各々が実線状であってもよい。第６線状部ＬＰ６は、各々が破線状である。第６線状部ＬＰ６は、各々が点線状であってもよい。第６線状部ＬＰ６は、幅方向に配列し且つ第５線状部ＬＰ５と交差して、第５線状部ＬＰ５とともに第２格子ＬＴ２を形成している。第２部分ＰＰ２は、各々が点状である。第２部分ＰＰ２は、線状であってもよい。第２部分ＰＰ２は、それぞれ、第２格子ＬＴ２の隙間に配置されている。
【０１７２】
第３領域Ｒ３は、例えば、図１に示す、第１領域Ｒ１と第２領域Ｒ２との間に設けることができる。この場合、第３領域Ｒ３は、レリーフ構造形成層１１の上記主面のうち、回折画像における上記球体の更に他の一部に対応した領域である。
【０１７３】
一例によれば、図１及び図５に示す第３領域Ｒ３の１以上が含んでいる、第５線状部ＬＰ５、第６線状部ＬＰ６及び第２部分ＰＰ２の配列は、回折画像において、全体に亘って略同色を表示するように構成される。他の例によれば、この配列は、回折画像において、何れかの方向へ色が徐々に変化するように構成される。何れの例においても、第１線状部ＬＰ１、第２線状部ＬＰ２、第１部分ＰＰ１、第５線状部ＬＰ５、第６線状部ＬＰ６及び第２部分ＰＰ２のうち、第１領域Ｒ１と第３領域Ｒ３との境界近傍に位置したものは、回折画像において略同色を表示することが好ましい。また、第３線状部ＬＰ３、第４線状部ＬＰ４、第５線状部ＬＰ５、第６線状部ＬＰ６及び第２部分ＰＰ２のうち、第２領域Ｒ２と第３領域Ｒ３との境界近傍に位置したものは、回折画像において略同色を表示することが好ましい。
【０１７４】
図５に示す第３パターンＰ３は、例えば、図３に示す第１線状部ＬＰ１の１以上と、図４に示す第３線状部ＬＰ３の１以上とが、図５に示す第５線状部ＬＰ５の１以上の延長線上に位置するように設ける。また、図５に示す第３領域Ｒ３の面積Ｓ３に占める第３パターンＰ３の面積ＳＰ３の割合ＳＰ３／Ｓ３は、例えば、図３に示す第１領域Ｒ１の面積Ｓ１に占める第１パターンＰ１の面積ＳＰ１の割合ＳＰ１／Ｓ１と比較してより小さく、図４に示す第２領域Ｒ２の面積Ｓ２に占める第２パターンＰ２の面積ＳＰ２の割合ＳＰ２／Ｓ２と比較してより大きい。
【０１７５】
第３領域Ｒ３が含んでいる隙間部ＧＰは、図５に示すように、第３領域Ｒ３のうち第３パターンＰ３と隣接した部分である。この隙間部ＧＰは、例えば、第１領域Ｒ１が含んでいる隙間部ＧＰと同様の構造を有し得る。
【０１７６】
図６に示す第４領域Ｒ４は、複数の第７線状部ＬＰ７と、複数の第８線状部ＬＰ８と、隙間部ＧＰとを含んでいる。第７線状部ＬＰ７及び第８線状部ＬＰ８の各々は、上述した溝又は畝を含んでいる。これら溝又は畝は、幅方向に配列しており、図２に示すレリーフ型の回折構造ＲＦ１の一部、例えば、レリーフ型の回折格子を構成し得る。この場合、図２に示す回折構造ＲＦ１のうち図６の第４領域Ｒ４に設けられた部分は、図６に示すように、複数の第７線状部ＬＰ７と複数の第８線状部ＬＰ８とからなる第４パターンＰ４を形成する。
【０１７７】
第７線状部ＬＰ７は、各々が実線状であり、幅方向に配列している。第７線状部ＬＰ７は、各々が破線状又は点線状であってもよい。第８線状部ＬＰ８は、各々が実線状であり、幅方向に配列している。第８線状部ＬＰ８は、各々が破線状又は点線状であってもよい。第８線状部ＬＰ８は、第７線状部ＬＰ７と交差して、第７線状部ＬＰ７とともに第３格子を形成している。
【０１７８】
第４領域Ｒ４は、例えば、図１及び図３に示す第１領域Ｒ１と隣接するように設けることができる。
【０１７９】
一例によれば、図６に示す第４領域Ｒ４の１以上が含んでいる、第７線状部ＬＰ７及び第８線状部ＬＰ８の配列は、回折画像において、全体に亘って略同色を表示するように構成される。他の例によれば、この配列は、回折画像において、何れかの方向へ色が徐々に変化するように構成される。何れの例においても、第１線状部ＬＰ１、第２線状部ＬＰ２、第１部分ＰＰ１、第７線状部ＬＰ７及び第８線状部ＬＰ８のうち、第１領域Ｒ１と第４領域Ｒ４との境界近傍に位置したものは、回折画像において略同色を表示することが好ましい。
【０１８０】
図６に示す第４パターンＰ４は、例えば、第７線状部ＬＰ７の１以上が、図３に示す第１線状部ＬＰ１の１以上又は第２線状部ＬＰ２の１以上の延長線上に位置するように設ける。また、図６に示す第４領域Ｒ４の面積Ｓ４に占める第４パターンＰ４の面積ＳＰ４の割合ＳＰ４／Ｓ４は、例えば、図３に示す第１領域Ｒ１の面積Ｓ１に占める第１パターンＰ１の面積ＳＰ１の割合ＳＰ１／Ｓ１と比較してより小さい。第７線状部ＬＰ７及び第８線状部ＬＰ８の少なくとも一方が破線状又は点線状である場合、第７線状部ＬＰ７と第８線状部ＬＰ８とは、単位長さに占める隙間の割合が等しくてもよく、異なっていてもよい。
【０１８１】
第４領域Ｒ４が含んでいる隙間部ＧＰは、図６に示すように、第４領域Ｒ４のうち第４パターンＰ４と隣接した部分である。この隙間部ＧＰは、例えば、第１領域Ｒ１が含んでいる隙間部ＧＰと同様の構造を有し得る。
【０１８２】
図７に示す第５領域Ｒ５は、複数の第９線状部ＬＰ９と隙間部ＧＰとを含んでいる。第９線状部ＬＰ９の各々は、上述した溝又は畝を含んでいる。これら溝又は畝は、幅方向に配列しており、図２に示すレリーフ型の回折構造ＲＦ１の一部、例えば、レリーフ型の回折格子を構成し得る。この場合、図２に示す回折構造ＲＦ１のうち図７の第５領域Ｒ５に設けられた部分は、図７に示すように、複数の第９線状部ＬＰ９からなる第５パターンＰ５を形成する。
【０１８３】
第９線状部ＬＰ９は、各々が実線状であり、幅方向に配列している。第９線状部ＬＰ９は、各々が破線状又は点線状であってもよい。第５パターンＰ５は、例えば、回折画像において毛髪を表現するのに利用する。
【０１８４】
第５領域Ｒ５が含んでいる隙間部ＧＰは、図７に示すように、第５領域Ｒ５のうち第５パターンＰ５と隣接した部分である。この隙間部ＧＰは、例えば、第１領域Ｒ１が含んでいる隙間部ＧＰと同様の構造を有し得る。
【０１８５】
図２に示す反射層１２は、レリーフ構造形成層１１のレリーフ構造が設けられた面のうち、図３及び図４に示す、第１線状部ＬＰ１、第２線状部ＬＰ２、第３線状部ＬＰ３、第４線状部ＬＰ４及び第１部分ＰＰ１のみを被覆している。
【０１８６】
図１及び図２に示す表示体１は、図２に示すように、保護層１４を更に含んでいる。
保護層１４は、レリーフ構造形成層１１の主面のうち、反射層１２が設けられた面とは反対側の面に設けられている。保護層１４は、透明樹脂層である。保護層１４は、レリーフ構造形成層１１などを機械的損傷や薬品等から保護する。また、保護層１４は、後述する転写箔の基材との密着性が低いものである場合には、表示要素の転写を容易にする役割も果たす。保護層１４の材料としては、例えば、アクリル樹脂又はエポキシ樹脂を使用することができる。これら材料は、上記の密着性を調整するために、ポリエステルを混ぜて使用してもよい。
【０１８７】
表示体１の反射層１２側の面には、接着層１３が設けられている。接着層１３は、表示体１を他の物品へ固定するとともに、レリーフ構造形成層１１のレリーフ面や反射層１２を保護する役割を果たす。
【０１８８】
図８は、図１及び図２の表示体が表示する画像の元画像を得るための撮影における照明条件を概略的に示す図である。
【０１８９】
図８には、球形の立体物ＯＢが光源ＬＳによって照明されている様子を描いている。図８に示すように、球形の立体物ＯＢを右方から照明すると、立体物ＯＢのうち右側は明るく見え、左側は暗く見える。
【０１９０】
図９は、回折光及び正反射光が見えない条件下で図１及び図２の表示体が表示する画像を示す図である。なお、図９は、接着層１３が透明であり、紙面などの光散乱性を有している表面上に、接着層１３が光散乱面と接するように表示体１を載置した場合に、表示体１が表示する画像を描いている。
【０１９１】
上記の通り、図１及び図２に示す表示体１では、図２に示す接着層１３及び保護層１４は透明である。また、反射層１２は、レリーフ構造形成層１１のレリーフ構造が設けられた面のうち、図３及び図４に示す、第１線状部ＬＰ１、第２線状部ＬＰ２、第３線状部ＬＰ３、第４線状部ＬＰ４及び第１部分ＰＰ１のみを被覆している。それ故、回折光及び正反射光が見えない条件下では、図１に示す表示体１のうち、第１領域Ｒ１及び第２領域Ｒ２に対応した部分は、他の部分と比較してより暗く見える。
【０１９２】
また、上記の通り、図１及び図２に示す表示体１では、割合ＳＰ２／Ｓ２は割合ＳＰ１／Ｓ１と比較してより小さい。それ故、回折光及び正反射光が見えない条件下では、図１に示す表示体１のうち、第２領域Ｒ２に対応した部分は、第１領域Ｒ１に対応した部分と比較してより明るく見える。従って、上記の条件下では、図１及び図２に示す表示体１は、図９に示す画像Ｉ１を表示する。
【０１９３】
図１０は、回折光又は正反射光が見える条件下で図１及び図２の表示体が表示する画像を示す図である。
【０１９４】
一例によれば、回折光又は正反射光が見える条件下では、図１に示す表示体１のうち、第１領域Ｒ１及び第２領域Ｒ２に対応した部分は、他の部分と比較してより明るく見える。第２領域Ｒ２に対応した部分は、第１領域Ｒ１に対応した部分と比較してより暗く見える。従って、上記の条件下では、図１及び図２に示す表示体１は、例えば回折画像として、図１０に示す画像Ｉ２を表示する。
【０１９５】
以上の通り、図１及び図２に示す表示体１のうち、それが表示する球体に対応した部分では、図１に示すように、第１領域Ｒ１及び第２領域Ｒ２が配置されている。そして、回折画像では、第１領域Ｒ１に対応した部分は、第２領域Ｒ２に対応した部分と比較してより明るい。このように、表示体１は回折画像での階調表現が可能であり、この階調表現は、観察者が立体感を感じるのに寄与し得る。
【０１９６】
また、図３に示す第１パターンＰ１は第１線状部ＬＰ１及び第２線状部ＬＰ２を含み、図４に示す第２パターンＰ２は第３線状部ＬＰ３及び第４線状部ＬＰ４を含んでいる。そして、図１及び図２に示す表示体１のうち、それが表示する球体に対応した部分では、図３に示す第１パターンＰ１が含んでいる第２線状部ＬＰ２と、図４に示す第２パターンＰ２が含んでいる第３線状部ＬＰ３及び第４線状部ＬＰ４とは、それらの幅方向が等しい。このような配置も、観察者が立体感を感じるのに寄与し得る。
【０１９７】
従って、この表示体１は、観察者が立体感を感じ易い回折画像を表示することが可能である。
【０１９８】
図１１は、本発明の第２実施形態に係る表示体が表示する画像の元画像を示す図である。図１２は、本発明の第２実施形態に係る表示体を概略的に示す平面図である。
【０１９９】
第２実施形態は、以下に記載する通り、表示体１の形状及びそれが表示する画像が異なること以外は、第１実施形態と同様である。
即ち、図１２に示す表示体１は、円形である。この表示体１は、回折光及び正反射光が見えない条件下では、図１１に示す元画像ＩＭと同様の画像を階調画像として表示する。また、図１に示す表示体１は、回折光又は正反射光が見える条件下では、図１１に示す元画像ＩＭとは明暗が反転した関係にある画像を階調画像として表示する。なお、元画像ＩＭは、階調画像として、顔の左側を斜め上方から照明した人物の顔画像を含んでいる。
【０２００】
図１２に示す表示体１は、図３を参照しながら説明した第１領域Ｒ１と、図４を参照しながら説明した第２領域Ｒ２とを含んでいる。
【０２０１】
具体的には、図１２に示す表示体１では、図３を参照しながら説明した第１領域Ｒ１は、図１１に示す元画像ＩＭのうち、人物の顔の一部及び首の一部に対応している。また、図１２に示す表示体１では、図４を参照しながら説明した第２領域Ｒ２は、図１１に示す元画像ＩＭのうち、人物の顔の他の一部及び首の他の一部に対応している。
【０２０２】
図１２に示す表示体１では、図３に示す第１線状部ＬＰ１と図４に示す第３線状部ＬＰ３とは、人物の鼻又は目から斜め下方へ各々が延びた複数の線上に位置するように、及び、第３線状部ＬＰ３が第１線状部ＬＰ１と人物の鼻又は目との間に位置するように配置されている。
【０２０３】
この表示体１も、第１実施形態に係る表示体１と同様に、回折画像での階調表現が可能であり、この階調表現は、観察者が立体感を感じるのに寄与し得る。また、この表示体１でも、第１実施形態に係る表示体１と同様に、第１線状部ＬＰ１、第２線状部ＬＰ２、第３線状部ＬＰ３、第４線状部ＬＰ４及び第１部分ＰＰ１の配置は、観察者が立体感を感じるのに寄与し得る。従って、この表示体１も、観察者が立体感を感じ易い回折画像を表示することが可能である。
【０２０４】
図３乃至図７を参照しながら説明した、第１パターンＰ１、第２パターンＰ２、第３パターンＰ３、第４パターンＰ４、及び第５パターンＰ５には、様々な変形が可能である。
【０２０５】
図１３は、第５領域に採用可能な構造の一例を概略的に示す平面図である。
【０２０６】
図７に示す第５領域Ｒ５では、第９線状部ＬＰ９は、長さ方向に沿って幅が一定であり、且つ、互いに等しい幅を有している。また、図７に示す第５領域Ｒ５では、第９線状部ＬＰ９は一定のピッチで配列している。この構造を採用した場合、回折画像のうち第５領域Ｒ５に対応した部分は、その全体に亘ってほぼ同じ明るさに見える。また、この構造を採用した場合、回折光及び正反射光が見えない条件下でも、表示体１が表示する画像のうち第５領域Ｒ５に対応した部分は、その全体に亘ってほぼ同じ明るさに見える。
【０２０７】
これに対し、図１３に示す第５領域Ｒ５では、第９線状部ＬＰ９の各々は、長さ方向に沿って幅が一定である。また、これら第９線状部ＬＰ９は、略一定のピッチで配列している。但し、これら第９線状部ＬＰ９は、幅が互いに異なっている。具体的には、第９線状部ＬＰ９は、それらの配列の一端から他端へ向けて、幅が増加している。この構造を採用すると、回折画像のうち第５領域Ｒ５に対応した部分の明るさを、一端から他端へ向けて高めることができる。また、この構造を採用すると、回折光及び正反射光が見えない条件下で表示体１が表示する画像のうち第５領域Ｒ５に対応した部分の明るさを、一端から他端へ向けて低下させることができる。
【０２０８】
図１４は、第５領域に採用可能な構造の他の例を概略的に示す平面図である。
図１４に示す第５領域Ｒ５では、第９線状部ＬＰ９は、長さ方向に沿って幅が変化している。具体的には、第９線状部ＬＰ９は、各々の一端から他端へ向けて幅が増加している。この構造を採用すると、回折画像のうち第５領域Ｒ５に対応した部分の明るさを、第９線状部ＬＰ９の一端から他端へ向けて高めることができる。また、この構造を採用すると、回折光及び正反射光が見えない条件下で表示体１が表示する画像のうち第５領域Ｒ５に対応した部分の明るさを、第９線状部ＬＰ９の一端から他端へ向けて低下させることができる。
【０２０９】
図１５は、第４領域に採用可能な構造の一例を概略的に示す平面図である。
図６に示す第４領域Ｒ４では、第７線状部ＬＰ７は、第１方向に各々が延び、第１方向と交差する第２方向に配列し、第８線状部ＬＰ８は、第２方向に各々が延び、第１方向に配列している。これら第７線状部ＬＰ７及び第８線状部ＬＰ８は、長さ方向に沿って幅が一定であり、且つ、互いに等しい幅を有している。また、第７線状部ＬＰ７は一定のピッチで第２方向に配列し、第８線状部ＬＰ８一定のピッチで第１方向に配列している。
【０２１０】
この構造を採用した場合、回折画像のうち第４領域Ｒ４に対応した部分は、その全体に亘って同じ明るさに見える。また、この構造を採用した場合、回折光及び正反射光が見えない条件下でも、表示体１が表示する画像のうち第４領域Ｒ４に対応した部分は、その全体に亘って同じ明るさに見える。
【０２１１】
これに対し、図１５に示す第４領域Ｒ４では、第７線状部ＬＰ７は、幅が互いに異なっている。具体的には、第７線状部ＬＰ７は、それらの配列の一端から他端へ向けて、幅が増加している。
【０２１２】
また、第８線状部ＬＰ８も、幅が互いに異なっている。具体的には、第８線状部ＬＰ８は、それらの配列の一端から他端へ向けて、幅が増加している。
【０２１３】
ここでは、紙面の下側に位置した第７線状部ＬＰ７は、上側に位置した第７線状部ＬＰ７と比較してより大きな幅を有している。また、紙面の右側に位置した第８線状部ＬＰ８は、左側に位置した第８線状部ＬＰ８と比較してより大きな幅を有している。
【０２１４】
この構造を採用すると、回折画像のうち第４領域Ｒ４に対応した部分の明るさを、紙面の左上から右下へ向けて高めることができる。また、この構造を採用すると、回折光及び正反射光が見えない条件下で表示体１が表示する画像のうち第４領域Ｒ４に対応した部分の明るさを、紙面の左上から右下へ向けて低下させることができる。
【０２１５】
図１６は、第１領域に採用可能な構造の一例を概略的に示す平面図である。
図３に示す第１領域Ｒ１では、第１線状部ＬＰ１は、第１方向に各々が延び、第１方向と交差する第２方向に配列し、第２線状部ＬＰ２は、第２方向に各々が延び、第１方向に配列している。第１線状部ＬＰ１及び第２線状部ＬＰ２は、長さ方向に沿って幅が一定であり、且つ、互いに等しい幅を有している。また、第１線状部ＬＰ１は、一定のピッチで第２方向に配列している。そして、第２線状部ＬＰ２は、一定のピッチで第１方向に配列している。
【０２１６】
そして、図３に示す第１領域Ｒ１では、第１線状部ＬＰ１及び第２線状部ＬＰ２の配列が形成している第１格子ＬＴ１の目の位置に第１部分ＰＰ１が配置されている。これら第１部分ＰＰ１は、面積が互いに等しい。
【０２１７】
この構造を採用した場合、回折画像のうち第１領域Ｒ１に対応した部分は、その全体に亘ってほぼ同じ明るさに見える。また、この構造を採用した場合、回折光及び正反射光が見えない条件下でも、表示体１が表示する画像のうち第１領域Ｒ１に対応した部分は、その全体に亘ってほぼ同じ明るさに見える。
【０２１８】
これに対し、図１６に示す第１領域Ｒ１では、第１方向に配列した第１部分ＰＰ１は、面積が異なっている。具体的には、紙面の上側に位置した第１部分ＰＰ１は、下側に位置した第１部分ＰＰ１と比較してより大きな面積を有している。
【０２１９】
この構造を採用すると、回折画像のうち第１領域Ｒ１に対応した部分の明るさを、紙面の下側から上側へ向けて高めることができる。また、この構造を採用すると、回折光及び正反射光が見えない条件下で表示体１が表示する画像のうち第１領域Ｒ１に対応した部分の明るさを、紙面の下側から上側へ向けて低下させることができる。
【０２２０】
第１線状部ＬＰ１、第２線状部ＬＰ２、第３線状部ＬＰ３、第４線状部ＬＰ４、第５線状部ＬＰ５、第６線状部ＬＰ６、第７線状部ＬＰ７、第８線状部ＬＰ８及び第９線状部ＬＰ９の何れかの線状部について上述した構造は、他の線状部に採用することができる。また、第１部分ＰＰ１及び第２部分ＰＰ２の一方について上述した構造は、それらの他方に採用することができる。
【０２２１】
また、上述した構造は、互いに組み合わせることができる。
【０２２２】
例えば、図１３に示す構造において、各第９線状部ＬＰ９の幅を、一端から他端へ向けて、例えば、図１４に示すように、紙面の上側から下側へ向けて増加させてもよい。この構造を採用すると、回折画像のうち第５領域Ｒ５に対応した部分の明るさを、紙面の右上から左下へ向けて高めることができる。また、この構造を採用すると、回折光及び正反射光が見えない条件下で表示体１が表示する画像のうち第５領域Ｒ５に対応した部分の明るさを、紙面の右上から左下へ向けて低下させることができる。
【０２２３】
また、図６に示す構造において、第７線状部ＬＰ７又は第８線状部ＬＰ８の幅を、それらの配列の一端から他端へ向けて増加させてもよい。例えば、図６に示す構造において、第８線状部ＬＰ８の幅を、図１３に示すように、紙面の右側から左側へ向けて増加させてもよい。この構造を採用すると、回折画像のうち第４領域Ｒ４に対応した部分の明るさを、紙面の右側から左側へ向けて高めることができる。また、この構造を採用すると、回折光及び正反射光が見えない条件下で表示体１が表示する画像のうち第４領域Ｒ４に対応した部分の明るさを、紙面の右側から左側へ向けて低下させることができる。
【０２２４】
或いは、図６に示す構造において、第７線状部ＬＰ７又は第８線状部ＬＰ８の幅を、各々の一端から他端へ向けて増加させてもよい。例えば、図６に示す構造において、第８線状部ＬＰ８の幅を、図１４に示すように、紙面の上側から下側へ向けて増加させてもよい。この構造を採用すると、回折画像のうち第４領域Ｒ４に対応した部分の明るさを、紙面の上側から下側へ向けて高めることができる。また、この構造を採用すると、回折光及び正反射光が見えない条件下で表示体１が表示する画像のうち第４領域Ｒ４に対応した部分の明るさを、紙面の上側から下側へ向けて低下させることができる。
【０２２５】
第１パターンＰ１、第２パターンＰ２、第３パターンＰ３、第４パターンＰ４及び第５パターンＰ５には、以下の構造を採用することも可能である。なお、以下に、第９線状部について説明する構造は、第１乃至第８線状部並びに第１及び第２部分に採用することも可能である。
【０２２６】
図１７は、第９線状部に採用可能な構造の一例を概略的に示す平面図である。
図１７に示す第９線状部ＬＰ９は、その長さ方向に各々が延び、幅方向に隣接した、第１線状領域ＬＰａ及び第２線状領域ＬＰｂを含んでいる。図１７に示す例では、第２線状領域ＬＰｂは、第１線状領域ＬＰａと比較して幅がより狭い。
【０２２７】
第１線状領域ＬＰａは、幅方向に配列した複数の溝又は畝Ｇ１を含んでいる。これら溝又は畝Ｇ１は、レリーフ型の回折構造、例えば、レリーフ型の回折格子を構成している。また、第２線状領域ＬＰｂは、幅方向に配列した複数の溝又は畝Ｇ２を含んでいる。これら溝又は畝Ｇ２は、レリーフ型の回折構造、例えば、レリーフ型の回折格子を構成している。
【０２２８】
溝又は畝Ｇ１と溝又は畝Ｇ２とは、長さ方向及びピッチの少なくとも一方が異なっている。溝又は畝Ｇ１からなる回折構造と溝又は畝Ｇ２からなる回折構造とは、同一の照明及び観察条件下で、波長が異なる回折光を射出する。
【０２２９】
第１線状領域ＬＰａ及び第２線状領域ＬＰｂは、肉眼で観察した場合に回折光によってそれらを互いから区別可能に構成されている。即ち、第１線状領域ＬＰａ及び第２線状領域ＬＰｂは、回折画像を肉眼で観察したときに、違う色であると認識され得る程度に波長が異なる回折光を射出するとともに、互いから区別可能な寸法を有している。
【０２３０】
この構造を採用した場合、例えば、第２線状領域ＬＰｂは、第１線状領域ＬＰａの影の如く見える。即ち、この構造を採用した第９線状部ＬＰ９は、それ自体が立体的に見える。それ故、この構造は、観察者が立体感を強く感じる画像を表示可能とするうえで有利である。
【０２３１】
表示体１は、回折画像として単色画像を表示するように構成することもでき、回折画像として多色画像を表示するように構成することもできる。回折構造を、回折画像として多色画像を表示するように構成する場合、例えば、以下の構造を採用することができる。
【０２３２】
図１８は、第９線状部に採用可能な構造の他の例を概略的に示す平面図である。
図１８に示す第９線状部ＬＰ９は、第１サブ領域ＳＲ１と第２サブ領域ＳＲ２と第３サブ領域ＳＲ３とを含んでいる。第１サブ領域ＳＲ１と第２サブ領域ＳＲ２と第３サブ領域ＳＲ３とは、第９線状部ＬＰ９の幅方向に配列している。
【０２３３】
第１サブ領域ＳＲ１と第２サブ領域ＳＲ２と第３サブ領域ＳＲ３とは、特定の照明及び観察条件下で、波長が異なる回折光を射出する。例えば、第１サブ領域ＳＲ１、第２サブ領域ＳＲ２、及び第３サブ領域ＳＲ３は、それぞれ、赤色、緑色及び青色の回折光を射出する。
【０２３４】
第１サブ領域ＳＲ１と第２サブ領域ＳＲ２と第３サブ領域ＳＲ３とは、それらが射出する回折光の加法混色による色表現をするように構成されている。即ち、ここでは、第９線状部ＬＰ９の幅は、回折画像を肉眼で観察したときに、第１サブ領域ＳＲ１と第２サブ領域ＳＲ２と第３サブ領域ＳＲ３とを互いから区別できない程度に狭い。
【０２３５】
この構造を第９線状部ＬＰ９に採用すると、第９線状部ＬＰ９のうち、その幅方向に第１サブ領域ＳＲ１と第２サブ領域ＳＲ２と第３サブ領域ＳＲ３とが配列している部分は、回折画像を肉眼で観察したときに白色に見える。
【０２３６】
また、第９線状部ＬＰ９のうち、その幅方向に第１サブ領域ＳＲ１及び第２サブ領域ＳＲ２のみが配列している部分は、回折画像を肉眼で観察したときにイエロー色に見える。第９線状部ＬＰ９のうち、その幅方向に第２サブ領域ＳＲ２及び第３サブ領域ＳＲ３のみが配列している部分は、回折画像を肉眼で観察したときにシアン色に見える。第９線状部ＬＰ９のうち、その幅方向に第１サブ領域ＳＲ１及び第３サブ領域ＳＲ３のみが配列している部分は、回折画像を肉眼で観察したときにマゼンタ色に見える。
【０２３７】
そして、第９線状部ＬＰ９のうち、第１サブ領域ＳＲ１のみが存在し、その幅方向に第２サブ領域ＳＲ２及び第３サブ領域ＳＲ３の何れも存在していない部分は、回折画像を肉眼で観察したときに赤色に見える。第９線状部ＬＰ９のうち、第２サブ領域ＳＲ２のみが存在し、その幅方向に第１サブ領域ＳＲ１及び第３サブ領域ＳＲ３の何れも存在していない部分は、回折画像を肉眼で観察したときに緑色に見える。第９線状部ＬＰ９のうち、第３サブ領域ＳＲ３のみが存在し、その幅方向に第１サブ領域ＳＲ１及び第２サブ領域ＳＲ２の何れも存在していない部分は、回折画像を肉眼で観察したときに青色に見える。
【０２３８】
このように、図１８を参照しながら説明した構造を採用すると、表示体１に回折画像として多色画像を表示させることが可能となる。
【０２３９】
図１９は、第９線状部に採用可能な構造の更に他の例を概略的に示す平面図である。
図１９に示す第９線状部ＬＰ９は、以下の点を除き、図１８を参照しながら説明した第９線状部ＬＰ９と同様である。即ち、図１９に示す第９線状部ＬＰ９では、第１サブ領域ＳＲ１と第２サブ領域ＳＲ２と第３サブ領域ＳＲ３とは、第９線状部ＬＰ９の長さ方向に配列している。第９線状部ＬＰ９の長さ方向に隣り合った３つのサブ領域からなる配列は、その第９線状部ＬＰ９の長さ方向に沿った寸法が、回折画像を肉眼で観察したときに、それら３つのサブ領域、即ち、第１サブ領域ＳＲ１と第２サブ領域ＳＲ２と第３サブ領域ＳＲ３とを、互いから区別できない程度に小さい。
【０２４０】
第９線状部ＬＰ９に上記の構造を採用した場合も、第１サブ領域ＳＲ１と第２サブ領域ＳＲ２と第３サブ領域ＳＲ３とを適宜配置することにより、図１８を参照しながら説明した構造と同様に、表示体１に回折画像として多色画像を表示させることが可能となる。
【０２４１】
図２０は、第９線状部に採用可能な構造の更に他の例を概略的に示す平面図である。
図２０に示す第９線状部ＬＰ９は、以下の点を除き、図１８を参照しながら説明した第９線状部ＬＰ９と同様である。即ち、図２０に示す第９線状部ＬＰ９では、第１サブ領域ＳＲ１と第２サブ領域ＳＲ２と第３サブ領域ＳＲ３とは、第９線状部ＬＰ９の長さ方向及び幅方向に配列している。
【０２４２】
具体的には、第２サブ領域ＳＲ２の一部と第３サブ領域ＳＲ３の一部とは、第９線状部ＬＰ９の長さ方向に延びており、第９線状部ＬＰ９の幅方向に配列している。第１サブ領域ＳＲ１と第２サブ領域ＳＲ２の残りと第３サブ領域ＳＲ３の残りとは、第９線状部ＬＰ９の長さ方向へ一列に配列している。この列と、第９線状部ＬＰ９の長さ方向に各々が延びた第２サブ領域ＳＲ２の一部及び第３サブ領域ＳＲ３の一部とは、第９線状部ＬＰ９の幅方向に配列している。
【０２４３】
第９線状部ＬＰ９の幅は、回折画像を肉眼で観察したときに、第９線状部ＬＰ９の幅方向に隣り合った３つのサブ領域を、互いから区別できない程度に小さい。また、第９線状部ＬＰ９の長さ方向に隣り合った３つのサブ領域からなる配列は、その第９線状部ＬＰ９の長さ方向に沿った寸法が、回折画像を肉眼で観察したときに、それら３つのサブ領域、即ち、第１サブ領域ＳＲ１と第２サブ領域ＳＲ２と第３サブ領域ＳＲ３とを、互いから区別できない程度に小さい。
【０２４４】
第９線状部ＬＰ９に上記の構造を採用した場合も、第１サブ領域ＳＲ１と第２サブ領域ＳＲ２と第３サブ領域ＳＲ３とを適宜配置することにより、図１８を参照しながら説明した構造及び図１９を参照しながら説明した構造と同様に、表示体１に回折画像として多色画像を表示させることが可能となる。
【０２４５】
また、この構造では、例えば、肉眼で観察した場合に第１サブ領域ＳＲ１と第２サブ領域ＳＲ２と第３サブ領域ＳＲ３とを互いから区別できない微小領域に占める第２サブ領域ＳＲ２の面積比と、この微小領域に占める第３サブ領域ＳＲ３の面積比とを、先の微小領域に占める第１サブ領域ＳＲ１の面積比よりも大きくすることができる。青色及び緑色は、赤色と比較して、肌の見え方に及ぼす影響が大きい。従って、回折画像で顔画像を表現する場合、上記の構成を採用すると、肌がより綺麗に見える。
【０２４６】
次に、本発明の一実施形態に係る転写箔について説明する。
図２１は、本発明の一実施形態に係る転写箔を概略的に示す断面図である。
【０２４７】
図２１に示す転写箔２は、支持体２１と転写材層と接着層１３とを含んでいる。
支持体２１は、転写材層を剥離可能に支持している。
接着層１３は、転写材層を被覆している。
【０２４８】
転写材層は、レリーフ構造形成層１１と、反射層１２と、保護層１４とを含んでいる。保護層１４は、ここでは、剥離保護層である。保護層１４、レリーフ構造形成層１１、及び反射層１２は、この順に、支持体２１上に積層されている。
【０２４９】
転写材層は、互いに隣接した転写部及び非転写部を含んでいる。転写部は、転写材層のうち、物品へ転写される部分であって、上記の表示体１を含んでいる。非転写部は、転写材層のうち、物品へ転写されずに残留する部分である。
【０２５０】
次に、本発明の一実施形態に係る粘着ラベルについて説明する。
図２２は、本発明の一実施形態に係る粘着ラベルを概略的に示す断面図である。
【０２５１】
図２２に示す粘着ラベル３は、基材１５と表示体１と粘着層１６とを含んでいる。なお、図２２において、なお、参照符号３１は、台紙を表している。
【０２５２】
基材１５は、例えば、透明樹脂フィルムである。基材１５は、その一方の主面に、表示体１を支持している。
【０２５３】
粘着層１６は、表示体１の一方の主面に設けられている。粘着層１６は、表示体１を間に挟んで基材１５と向き合っている。粘着層１６は、粘着ラベル３の使用直前まで、台紙３１によって保護される。
【０２５４】
次に、本発明の一実施形態に係るラベル付き物品について説明する。
図２３は、本発明の一実施形態に係るラベル付き物品を概略的に示す平面図である。
【０２５５】
図２３に示すラベル付き物品４は、印刷物である。ラベル付き物品４としては、例えば、商品券、有価証券、紙幣、ＩＤ（identification）カード、及びパスポートが挙げられる。
【０２５６】
このラベル付き物品４は、表示体１と、これを支持した物品４１と、物品４１上に設けられた印刷層４２ａ及び４２ｂとを含んでいる。
物品４１は、例えば、紙などの印刷基材である。印刷基材としては、例えば、紙基材、透明樹脂基材、又は不透明樹脂基材を用いることができる。
【０２５７】
表示体１は、例えば、この物品４１の表面に貼り付けるか又はこの物品４１内に埋め込まれることにより、物品４１によって支持されている。一例によれば、表示体１は、粘着ラベル又は転写箔を用いて、物品４１に貼り付けられる。
【０２５８】
物品４１が透明である場合には、表示体１は物品４１の中に埋め込まれていてもよい。このような構造は、例えば、複数の透明樹脂基材の間に表示体１を挟み込み、これら透明樹脂基材をラミネートすることにより得ることができる。
【０２５９】
また、印刷基材として紙基材や不透明樹脂基材を用いた場合のように、物品４１が不透明である場合には、上記の構造は、例えば、以下の方法により得ることができる。先ず、複数の紙基材又は不透明樹脂基材の間に表示体１を挟み込んで、これらを一体化する。次に、表示体１を視認可能となるように、それら基材の表示体１に対応する１以上の部分にウインドウを設ける。
【０２６０】
印刷層４２ａは、表示体１が表示する上記画像の元となる画像を用いて作成された印刷画像を表示するものである。印刷層４２ｂは、文字等を表示するものである。印刷層４２ａ及び４２ｂの一方又は両方を省略してもよい。
【０２６１】
印刷層４２ａが表示する印刷画像と表示体１が表示する上記画像とが対応している場合、印刷画像及び表示体１の何れか一方が不正に交換されたか又は書き換えられたとしても、不正行為がなされたことを容易に検知できる。
【０２６２】
＜第２発明＞
図２４は、本発明の第３実施形態に係る表示体を概略的に示す平面図である。図２５は、図２４に示す表示体の断面図である。図２６は、図２４及び図２５の表示体が含んでいるレリーフ構造形成層の一方の主面の一部を示す平面図である。
【０２６３】
ここで、Ｘ方向及びＹ方向は、表示体１の主面に平行であり且つ互いに直交する方向である。また、Ｚ方向は、Ｘ方向及びＹ方向に垂直な方向であり、表示体１の厚さ方向である。
【０２６４】
図２４及び図２５に示す表示体１は、図２５に示すように、レリーフ構造形成層１１と反射層１２とを含んでいる。この表示体１は、レリーフ構造形成層１１側が観察者と向き合う前面であり、反射層１２側が背面である。この表示体１は、反射層１２側が観察者と向き合う前面であり、レリーフ構造形成層１１側が背面であってもよい。何れの場合も、反射層１２は、レリーフ構造形成層１１のレリーフ面と接するように設置される。
【０２６５】
レリーフ構造形成層１１の一方の主面、具体的には、レリーフ構造形成層１１と反射層１２との界面ＩＦには、レリーフ型の回折構造ＲＦが設けられている。
【０２６６】
レリーフ型の回折構造ＲＦは、幅方向に配列した複数の溝又は畝を含んでいる。これら溝又は畝は、レリーフ型の回折構造ＲＦ、例えば、レリーフ型の回折格子を構成している。一例によれば、回折構造ＲＦは、その全体に亘り、溝又は畝の長さ方向が一定である。例えば、回折構造ＲＦは、その全体に亘り、溝又は畝の長さ方向がＸ方向に平行である。
【０２６７】
レリーフ型の回折構造ＲＦは、眼を含む顔画像、ここではヒトの顔画像を、多色の回折画像として表示する。レリーフ型の回折構造ＲＦは、眼を含む顔画像と、この顔画像以外の画像とを、回折画像として表示してもよい。ここで、「回折画像」は、回折光によって表示される画像である。
【０２６８】
この回折構造ＲＦが設けられた界面ＩＦ、即ち、レリーフ構造形成層１１の反射層１２側の主面は、図２６に示すように、第１領域ＲＲ１と第２領域ＲＲ２と第３領域ＲＲ３とを含んでいる。
【０２６９】
第１領域ＲＲ１は、界面ＩＦのうち、回折格子ＤＦが回折画像として表示する顔画像が含んでいる眼の瞳孔に対応した領域である。第１領域ＲＲ１は、円形状を有している。
【０２７０】
第２領域ＲＲ２は、界面ＩＦのうち、回折格子ＤＦが回折画像として表示する顔画像が含んでいる眼の虹彩に対応した領域である。第２領域ＲＲ２は、円環形状を有しており、第１領域ＲＲ１を取り囲んでいる。
【０２７１】
第３領域ＲＲ３は、界面ＩＦのうち、回折格子ＤＦが回折画像として表示する顔画像が含んでいる眼の強膜（白目）に対応した領域である。第３領域ＲＲ３は、第２領域ＲＲ２を取り囲んでいる。
【０２７２】
回折構造ＲＦは、第１領域ＲＲ１の位置に第１部分ＰＴ１を含んでいる。第１部分ＰＴ１は、円形状を有しており、第１領域ＲＲ１の全体に亘って広がっている。
【０２７３】
第１部分ＰＴ１では、その全体に亘り、溝又は畝の長さ方向が一定である。例えば、第１部分ＰＴ１では、その全体に亘り、溝又は畝の長さ方向がＸ方向に平行である。また、第１部分ＰＴ１では、その全体に亘り、溝又は畝のピッチが一定である。
【０２７４】
回折構造ＲＦは、第２領域ＲＲ２の位置に、複数の第２部分ＰＴ２を含んでいる。これら第２部分ＰＴ２は、実線からなる同心円状の配列を形成するとともに、第１部分ＰＴ１を取り囲んでいる。第２部分ＰＴ２の中心は、位置が互いに等しい。また、第２部分ＰＴ２の各々の中心は、第１部分ＰＴ１の中心と位置が等しい。
【０２７５】
第２部分ＰＴ２の各々は、その全周又は全長に亘って幅が一定である。また、これら第２部分ＰＴ２は、幅が互いに等しい。
【０２７６】
隣り合った第２部分ＰＴ２間の距離は、その全周又は全長に亘って一定である。また、隣り合った第２部分ＰＴ２間の距離は、円の中心から離れるほど小さくなっている。
【０２７７】
各第２部分ＰＴ２では、その全体に亘り、溝又は畝の長さ方向が一定である。また、上記複数の第２部分ＰＴ２は、溝又は畝の長さ方向が互いに等しい。一例によれば、溝又は畝の長さ方向は、第１部分ＰＴ１と複数の第２部分ＰＴ２とで互いに等しい。例えば、各第２部分ＰＴ２では、その全体に亘り、溝又は畝の長さ方向がＸ方向に平行である。
【０２７８】
また、各第２部分ＰＴ２では、その全体に亘り、溝又は畝のピッチが一定である。そして、上記複数の第２部分ＰＴ２は、溝又は畝のピッチが互いに等しい。一例によれば、溝又は畝のピッチは、第１部分ＰＴ１と複数の第２部分ＰＴ２とで互いに等しい。
【０２７９】
回折構造ＲＦは、第３領域ＲＲ３の位置に、複数の第３部分ＰＴ３を含んでいる。これら第３部分ＰＴ３は、実線からなる同心円状の配列を形成するとともに、複数の第２部分ＰＴ２を取り囲んでいる。第３部分ＰＴ３の中心は、位置が互いに等しい。また、第３部分ＰＴ３の各々の中心は、第１部分ＰＴ１の中心と位置が等しい。
【０２８０】
第３領域ＲＲ３の面積に占める複数の第３部分ＰＴ３の合計面積の割合は、第２領域ＲＲ２の面積に占める複数の第２部分ＰＴ２の合計面積の割合と比較してより小さい。ここでは、第３部分ＰＴ３の幅は、第２部分ＰＴ２の幅と比較してより小さい。また、第３部分ＰＴ３の隣り合ったものの間の距離は、第２部分ＰＴ２の隣り合ったものの間の距離と比較してより大きい。
【０２８１】
第３部分ＰＴ３の各々は、その全長に亘って幅が一定である。また、これら第３部分ＰＴ３は、幅が互いに等しい。
【０２８２】
隣り合った第３部分ＰＴ３間の距離は、その全長に亘って一定である。これら第３部分ＰＴ３は、等間隔で配列している。
【０２８３】
各第３部分ＰＴ３では、その全体に亘り、溝又は畝の長さ方向が一定である。また、上記複数の第３部分ＰＴ３は、溝又は畝の長さ方向が互いに等しい。一例によれば、溝又は畝の長さ方向は、複数の第２部分ＰＴ２と複数の第３部分ＰＴ３とで互いに等しい。例えば、各第３部分ＰＴ３では、その全体に亘り、溝又は畝の長さ方向がＸ方向に平行である。
【０２８４】
また、各第３部分ＰＴ３では、その全体に亘り、溝又は畝のピッチが一定である。そして、上記複数の第３部分ＰＴ３は、溝又は畝のピッチが互いに等しい。一例によれば、溝又は畝のピッチは、第１部分ＰＴ１と複数の第３部分ＰＴ３とで異なっている。
【０２８５】
界面ＩＦは、第１領域ＲＲ１、第２領域ＲＲ２及び第３領域ＲＲ３に加え、他の領域を更に含んでいる。回折構造ＲＦは、上記他の領域の一部の位置に第５部分ＰＴ５を含んでいる。第５部分ＰＴ５は、回折格子ＤＦが表示する回折画像のうち、眼以外の部分、例えば、眼瞼裂の輪郭並びに上眼瞼及び下眼瞼の皺などを表示するのに利用する部分である。
【０２８６】
なお、上記他の領域の残りの部分は、第６部分ＰＴ６である。回折構造ＲＦは、第６部分には設けられていない。
【０２８７】
図２５に示す反射層１２は、レリーフ構造形成層１１の回折構造ＲＦが設けられた面を被覆している。
【０２８８】
図２４及び図２５に示す表示体１は、図２５に示すように、保護層１４を更に含んでいる。
保護層１４は、レリーフ構造形成層１１の主面のうち、反射層１２が設けられた面とは反対側の面に設けられている。保護層１４は、透明樹脂層である。保護層１４は、レリーフ構造形成層１１などを機械的損傷や薬品等から保護する。また、保護層１４は、後述する転写箔の基材との密着性が低いものである場合には、表示要素の転写を容易にする役割も果たす。保護層１４の材料としては、例えば、アクリル樹脂又はエポキシ樹脂を使用することができる。これら材料は、上記の密着性を調整するために、ポリエステルを混ぜて使用してもよい。
【０２８９】
表示体１の反射層１２側の面には、接着層１３が設けられている。接着層１３は、表示体１を他の物品へ固定するとともに、レリーフ構造形成層１１のレリーフ面や反射層１２を保護する役割を果たす。
【０２９０】
図２７は、図２６に示す構造の変形例を示す平面図である。
図２７には、ヒト以外の動物の顔画像を回折画像として表示する場合に採用可能な構造の一例を示している。
【０２９１】
図２７に示す構造は、以下の点を除き、図２４乃至図２６を参照しながら説明した構造とほぼ同様である。即ち、図２６に示す構造が表示する回折画像では、虹彩の一部が上眼瞼によって隠れている。これに対し、図２７に示す構造が表示する回折画像では、虹彩は、上眼瞼及び下眼瞼の何れによっても隠れていない。また、図２６に示す構造では、第２部分ＰＴ２は、等間隔で配列している。
【０２９２】
図２８は、比較例に係る表示体が含んでいるレリーフ構造形成層の一方の主面の一部を示す平面図である。
図２８に示す構造は、以下の点を除き、図２６を参照しながら説明した構造と同様である。
【０２９３】
即ち、図２８の構造では、回折構造ＲＦは、第１領域ＲＲ１の位置及び第２領域ＲＲ２の位置にそれぞれ第１部分ＰＴ１及び複数の第２部分ＰＴ２を含んでいない。その代わりに、図２８の構造では、回折構造ＲＦは、第１領域ＲＲ１と第２領域ＲＲ２とからなる領域の位置に、部分ＰＴ１２を含んでいる。また、図２８の構造では、回折構造ＲＦは、第３領域の位置には設けられていない。
【０２９４】
部分ＰＴ１２は、第１領域ＲＲ１と第２領域ＲＲ２とからなる領域の全体に亘って広がっている。部分ＰＴ１２では、その全体に亘り、溝又は畝の長さ方向が一定である。例えば、部分ＰＴ１２では、その全体に亘り、溝又は畝の長さ方向がＸ方向に平行である。また、部分ＰＴ１２では、その全体に亘り、溝又は畝のピッチが一定である。
【０２９５】
図２８に示す構造を採用した場合、回折画像として表示される顔画像は、眼が立体的に見えない。その結果、この顔画像は、生き生きとして見えない。
【０２９６】
これに対し、図２４乃至図２７を参照しながら説明した構造では、回折構造ＲＦは、眼の瞳孔に対応した第１領域ＲＲ１の位置に第１部分ＰＴ１を含み、眼の虹彩に対応した第２領域ＲＲ２の位置に複数の第２部分ＰＴ２を含んでいる。これら第２部分ＰＴ２は、同心円状の配列を形成している。このような構造を採用すると、回折画像として表示される顔画像は生き生きとして見える。
【０２９７】
また、図２４乃至図２７を参照しながら説明した構造では、回折構造ＲＦは、眼の強膜に対応した第３領域ＲＲ３に複数の第３部分ＰＴ３を含んでいる。これら第３部分ＰＴ３は、同心円状の配列を形成している。そして、第３領域ＲＲ３の面積に占める複数の第３部分ＰＴ３の合計面積の割合は、第２領域ＲＲ２の面積に占める複数の第２部分ＰＴ２の合計面積の割合と比較してより小さい。このような構造を採用すると、回折画像において、眼がより立体的に見え、回折画像として表示される顔画像はより生き生きとして見える。
【０２９８】
また、ヒトの脳には、「顔反応性細胞（又は顔細胞）」と呼ばれる神経細胞の領域がある。顔細胞は、眼、鼻、及び口に、特に敏感に反応すると言われている。顔細胞は、眼、鼻、及び口に加え、ほほや輪郭等のそれらの周囲の部位を含む顔全体の画像から、人物を識別することを可能とする。そして、この識別の精度には、顔画像のうち眼の画像が特に大きな影響を及ぼす。
【０２９９】
上記の通り、図２４乃至図２７を参照しながら説明した表示体１では、回折構造ＲＦのうち眼に対応した領域に上記の構造を採用している。このような構造を採用した表示体１が回折画像の一部として表示する眼の画像は、他の構造を採用した表示体が回折画像の一部として表示する眼の画像とは異なる。そして、ヒトは、それらの相違を容易に識別する。従って、この表示体１は、例えば、偽造防止の目的で使用した場合に、優れた効果を発揮する。
【０３００】
図２９は、本発明の第４実施形態に係る表示体が含んでいるレリーフ構造形成層の一方の主面の一部を示す平面図である。
【０３０１】
第４実施形態に係る表示体は、図２９に示す構造を回折構造ＲＦに採用したこと以外は、第３実施形態と同様である。また、図２９に示す構造は、以下の点を除き、図２６を参照しながら説明した構造と同様である。
【０３０２】
即ち、図２９に示す構造では、回折構造ＲＦは、第２領域ＲＲ２の位置に、複数の第２部分ＰＴ２ａ乃至Ｐ２ｄを含んでいる。これら第２部分ＰＴ２ａ乃至Ｐ２ｄは、実線からなる同心円状の配列を形成するとともに、第１部分ＰＴ１を取り囲んでいる。第２部分ＰＴ２ａ乃至Ｐ２ｄの中心は、位置が互いに等しい。また、第２部分ＰＴ２ａ乃至Ｐ２ｄの各々の中心は、第１部分ＰＴ１の中心と位置が等しい。
【０３０３】
第２部分ＰＴ２ａ乃至Ｐ２ｄの各々は、その全周又は全長に亘って幅が一定である。また、これら第２部分ＰＴ２ａ乃至Ｐ２ｄは、幅が互いに等しい。
【０３０４】
第２部分ＰＴ２ａ乃至Ｐ２ｄの隣り合った２つの間の距離は、その全周又は全長に亘って一定である。また、第２部分ＰＴ２ａ乃至Ｐ２ｄの隣り合った２つの間の距離は、円の中心から離れるほど小さくなっている。
【０３０５】
第２部分ＰＴ２ａ乃至Ｐ２ｄの各々では、その全体に亘り、溝又は畝の長さ方向が一定である。また、第２部分ＰＴ２ａ乃至Ｐ２ｄは、溝又は畝の長さ方向が互いに等しい。一例によれば、溝又は畝の長さ方向は、第１部分ＰＴ１と複数の第２部分ＰＴ２ａ乃至Ｐ２ｄとで互いに等しい。例えば、第２部分ＰＴ２ａ乃至Ｐ２ｄの各々では、その全体に亘り、溝又は畝の長さ方向がＸ方向に平行である。
【０３０６】
また、第２部分ＰＴ２ａ乃至Ｐ２ｄの各々では、その全体に亘り、溝又は畝のピッチが一定である。但し、第２部分ＰＴ２ａ乃至Ｐ２ｄは、溝又は畝のピッチが互いに異なっている。ここでは、第１部分ＰＴ１及び第２部分ＰＴ２ａ乃至Ｐ２ｄの溝又は畝のピッチは、第１領域ＲＲ１の中心から第２領域ＲＲ２の外周へ向けて減少又は増加している。なお、ここでは、第１部分ＰＴ１と第２部分ＰＴ２ａとは溝又は畝のピッチが異なっているが、それらは、溝又は畝のピッチが等しくてもよい。
【０３０７】
図３０は、図２９に示す構造の変形例を示す平面図である。
図３０には、ヒト以外の動物の顔画像を回折画像として表示する場合に採用可能な構造の一例を示している。
【０３０８】
図３０に示す構造は、以下の点を除き、図２９を参照しながら説明した構造とほぼ同様である。即ち、図２９に示す構造が表示する回折画像では、虹彩の一部が上眼瞼によって隠れている。これに対し、図３０に示す構造が表示する回折画像では、虹彩は、上眼瞼及び下眼瞼の何れによっても隠れていない。また、図３０に示す構造では、第２部分ＰＴ２ｄは省略されており、第２部分ＰＴ２ａ乃至Ｐ２ｃは等間隔で配列している。
【０３０９】
図２９又は図３０を参照しながら説明した構造を採用した場合、図２４乃至図２７を参照しながら説明したのと同様の効果を得ることができる。
【０３１０】
また、図２９及び図３０を参照しながら説明した構造では、第２部分ＰＴ２ａ乃至Ｐ２ｄ（又は第２部分ＰＴ２ａ乃至Ｐ２ｃ）の溝又は畝のピッチは、第２領域ＲＲ２の内周から外周へ向けて減少又は増加している。それ故、この構造を採用すると、回折画像のうち第２領域ＲＲ２に対応した部分の色を、その内周から外周へ向けて変化させることができる。このような色の変化は、虹彩の色及び明るさの変化に類似している。従って、回折構造を構成している溝又は畝のピッチを少なくとも第２領域ＲＲ２において上記のように変化させた場合、回折画像として表示される顔画像はより生き生きとして見える。
【０３１１】
図３１は、本発明の第５実施形態に係る表示体が含んでいるレリーフ構造形成層の一方の主面の一部を示す平面図である。
【０３１２】
第５実施形態に係る表示体は、図３１に示す構造を回折構造ＲＦに採用したこと以外は、第３実施形態と同様である。また、図３１に示す構造は、以下の点を除き、図２６を参照しながら説明した構造と同様である。
【０３１３】
即ち、図３１に示す構造では、第２領域ＲＲ２は、虹彩の一部に対応している。また、図３１に示す構造では、回折構造ＲＦが回折画像として表示すべき顔画像は、虹彩の残りの部分と重なり合ったキャッチライトを更に含んでいる。レリーフ構造形成層１１の回折構造ＲＦが設けられた主面は、このキャッチライトに対応した第４領域ＲＲ４を更に含んでいる。
【０３１４】
回折構造ＲＦは、第４領域ＲＲ４の位置に第４部分ＰＴ４を更に含んでいる。第４部分ＰＴ４は、複数の第２部分ＰＴ２の隣り合った２以上に跨るように拡がっている。ここでは、第４領域ＲＲ４及び第４部分ＰＴ４の各々は、円形状を有している。また、ここでは、第４部分ＰＴ４の最大径は、第１部分ＰＴ１の最大径以上である。
【０３１５】
第４部分ＰＴ４では、その全体に亘り、溝又は畝の長さ方向が一定である。一例によれば、回折構造ＲＦを構成している溝又は畝の長さ方向は、複数の第２部分ＰＴ２と第４部分ＰＴ４とで互いに等しい。例えば、第２部分ＰＴ２及び第４部分ＰＴ４の各々では、その全体に亘り、溝又は畝の長さ方向がＸ方向に平行である。
【０３１６】
また、一例によれば、第４部分ＰＴ４では、その全体に亘り、溝又は畝のピッチが一定である。但し、回折構造ＲＦを構成している溝又は畝のピッチは、複数の第２部分ＰＴ２と第４部分ＰＴ４とで互いに異なっている。
図３２は、図３１に示す構造の変形例を示す平面図である。
図３２には、ヒト以外の動物の顔画像を回折画像として表示する場合に採用可能な構造の一例を示している。
【０３１７】
図３２に示す構造は、以下の点を除き、図３１を参照しながら説明した構造とほぼ同様である。即ち、図３１に示す構造が表示する回折画像では、虹彩の一部が上眼瞼によって隠れている。これに対し、図３２に示す構造が表示する回折画像では、虹彩は、上眼瞼及び下眼瞼の何れによっても隠れていない。また、図３２に示す構造では、第２部分ＰＴ２は、等間隔で配列している。
【０３１８】
図３１又は図３２を参照しながら説明した構造を採用した場合、図２４乃至図２７を参照しながら説明したのと同様の効果を得ることができる。
【０３１９】
また、図３１及び図３２を参照しながら説明した構造では、レリーフ構造形成層１１の上記主面は、キャッチライトに対応した第４領域ＲＲ４を更に含んでいる。また、回折構造ＲＦは、第４領域ＲＲ４の位置に第４部分ＰＴ４を更に含み、第４部分ＰＴ４は、複数の第２部分ＰＴ２の隣り合った２以上に跨るように拡がっている。この構造を採用した場合、回折画像における眼は、観察者により強い印象を与える。それ故、回折画像として表示される顔画像はより生き生きとして見える。
【０３２０】
また、図３１及び図３２を参照しながら説明した構造では、回折構造ＲＦを構成している溝又は畝のピッチは、複数の第２部分ＰＴ２と第４部分ＰＴ４とで互いに異なっている。この構造は、例えば、回折画像において、第２領域ＲＲ２が表示する色と第４領域ＲＲ４が表示する色とを異ならしめるのに適している。
【０３２１】
更に、図３１及び図３２を参照しながら説明した構造では、第４部分ＰＴ４の最大径は、第１部分ＰＴ１の最大径以上である。この構造を採用した場合、回折画像における眼は、観察者に更に強い印象を与える。それ故、回折画像として表示される顔画像はより生き生きとして見える。
【０３２２】
なお、第５実施形態では、回折構造ＲＦのうち第２領域ＲＲ２に位置した部分に、第３実施形態と同様の構造を採用している。その代わりに、回折構造ＲＦのうち第２領域ＲＲ２に位置した部分に、第４実施形態と同様の構造を採用してもよい。
【０３２３】
第３乃至第５実施形態に係る表示体１では、反射層１２は、レリーフ構造形成層の一方の主面のうち、回折構造ＲＦが設けられた部分と回折構造ＲＦが設けられていない部分との双方を被覆していてもよく、回折構造ＲＦが設けられた部分のみを被覆していてもよい。後者の構造について、以下に説明する。
【０３２４】
図３３は、本発明の第３乃至第５実施形態に係る表示体に採用可能な構造の一例を概略的に示す断面図である。
【０３２５】
図３３に示す構造では、レリーフ構造形成層１１の接着層１３側の主面、即ち、レリーフ構造形成層１１と接着層１３との界面ＩＦには、第１レリーフ構造ＲＲＦ１と第２レリーフ構造ＲＲＦ２とが設けられている。
【０３２６】
第１レリーフ構造ＲＲＦ１は、回折構造ＲＦについて上述した幅方向に配列した複数の溝又は畝を含んでいる。即ち、第１レリーフ構造ＲＲＦ１は、上述した回折構造ＲＦを構成している。
【０３２７】
第２レリーフ構造ＲＲＦ２は、界面ＩＦのうち、第１レリーフ構造ＲＲＦ１が設けられていない領域の全体に亘って設けられている。第２レリーフ構造ＲＲＦ２は、規則的に又はランダムに配置された複数の凹部及び／又は凸部からなる。これら凹部及び／又は凸部は、二次元的に配列又は分布している。
【０３２８】
第２レリーフ構造ＲＲＦ２が含んでいる凹部又は凸部の深さ又は高さとそれらの平均中心間距離との比は、第１レリーフ構造ＲＲＦ１が含んでいる溝又は畝の深さ又は高さとそれらの平均中心間距離との比と比較してより大きい。そして、界面ＩＦのうち第２レリーフ構造ＲＲＦ２が設けられた領域は、界面ＩＦのうち第１レリーフ構造ＲＲＦ１が設けられた領域と比較して、見かけ上の面積に対する表面積の比が大きい。
【０３２９】
図３３に示す構造では、反射層１２は、第１レリーフ構造ＲＲＦ１及び第２レリーフ構造ＲＲＦ２のうち、第１レリーフ構造ＲＲＦ１のみを被覆している。
【０３３０】
また、図３３に示す構造は、反射層１２を被覆した反射保護層１７を更に含んでいる。反射保護層１７は、反射層１２とは異なる材料からなる。
【０３３１】
この表示体１は、例えば、以下に説明する原版を使用して製造することができる。
図３４は、図３３に示す表示体の製造に利用可能な原版の一例を概略的に示す断面図である。
【０３３２】
図３４に示す原版５は、その表面に、第３レリーフ構造ＲＲＦ３と第４レリーフ構造とを含んでいる。第３レリーフ構造ＲＲＦ３及び第４レリーフ構造ＲＲＦ４は、それぞれ、第１レリーフ構造ＲＲＦ１及び第２レリーフ構造ＲＲＦ２に対応している。
【０３３３】
即ち、第３レリーフ構造ＲＲＦ３は、幅方向に配列した複数の畝又は溝を含んでいる。これら畝又は溝は、第１レリーフ構造ＲＲＦ１を構成している溝又は畝に、即ち、レリーフ型の回折構造ＲＦの溝又は畝に対応している。
【０３３４】
第４レリーフ構造ＲＲＦ４は、第３レリーフ構造ＲＲＦ３と隣接している。第４レリーフ構造ＲＲＦ４は、規則的に又はランダムに配置された複数の凸部及び／又は凹部からなる。これら凸部及び／又は凹部は、二次元的に配列又は分布している。複数の凸部及び／又は凹部は、第２レリーフ構造ＲＲＦ２を構成している凹部及び／又は凸部に対応している。
【０３３５】
第４レリーフ構造ＲＲＦ４が含んでいる凸部又は凹部の高さ又は深さとそれらの平均中心間距離との比は、第３レリーフ構造ＲＲＦ３が含んでいる畝又は溝の高さ又は深さとそれらの平均中心間距離との比と比較してより大きい。そして、第４レリーフ構造ＲＲＦ４が設けられた領域は、第３レリーフ構造ＲＲＦ３が設けられた領域と比較して、見かけ上の面積に対する表面積の比が大きい。
【０３３６】
この原版５を用いると、図３３を参照しながら説明した構造を、例えば、以下の方法により製造することができる。
【０３３７】
先ず、熱可塑性樹脂層に、原版５の第３レリーフ構造ＲＲＦ３及び第４レリーフ構造ＲＲＦ４が設けられた面を、熱を印加しながら押し当て、その後、熱可塑性樹脂層から原版５を取り除く。或いは、紫外線硬化性樹脂からなる塗膜を形成し、これに原版５を押し当てながら紫外線を照射して紫外線硬化性樹脂を硬化させ、その後、塗膜から原版５を取り除く。或いは、熱硬化性樹脂からなる塗膜を形成し、これに原版５を押し当てながら加熱して熱硬化性樹脂を硬化させ、その後、塗膜から原版５を取り除く。このようにして、一方の主面に第１レリーフ構造ＲＲＦ１及び第２レリーフ構造ＲＲＦ２が設けられたレリーフ構造形成層１１を得る。
【０３３８】
次に、レリーフ構造形成層１１の上記主面に、例えば気相堆積法により、反射層１２の材料からなる第１層を形成する。第１層は、例えば、それが第１レリーフ構造ＲＲＦ１及び第２レリーフ構造ＲＲＦ２の全体を被覆するように形成する。例えば、第１層は、レリーフ構造形成層１１の上記主面の全体に形成する。
【０３３９】
次いで、第１層の上に、例えば気相堆積法により、反射保護層１７の材料からなる第２層を形成する。第２層の材料としては、第１層をエッチングするためのエッチング剤に対して高い耐エッチング性を有しているものを選定する。
【０３４０】
第２層は、例えば、それが第１層を間に挟んで第１レリーフ構造ＲＲＦ１及び第２レリーフ構造ＲＲＦ２の全体と向き合うように形成する。また、第２層を形成するための堆積においては、第２層が第１レリーフ構造ＲＲＦ１の位置に開口を含まず、第２レリーフ構造ＲＲＦ２の位置に開口を有するように、単位面積に堆積する材料の量を調節する。
【０３４１】
上記の通り、第２レリーフ構造ＲＲＦ２が含んでいる凹部又は凸部の深さ又は高さとそれらの平均中心間距離との比は、第１レリーフ構造ＲＲＦ１が含んでいる溝又は畝の深さ又は高さとそれらの平均中心間距離との比と比較してより大きい。そして、界面ＩＦのうち第２レリーフ構造ＲＲＦ２が設けられた領域は、界面ＩＦのうち第１レリーフ構造ＲＲＦ１が設けられた領域と比較して、見かけ上の面積に対する表面積の比が大きい。それ故、単位面積に堆積する材料の量を適切に調節すると、第１レリーフ構造ＲＲＦ１に対応した部分が連続膜であり、第２レリーフ構造ＲＲＦ２に対応した部分が、第２レリーフ構造ＲＲＦ２を構成している凹部又は凸部の側壁の位置で開口した第２層を得ることができる。
【０３４２】
その後、第２層に対して上記のエッチング剤を供給して、第１層の一部をエッチングする。例えば、第１層の一部をウェットエッチングする。
【０３４３】
上記の通り、第２層は、第２レリーフ構造ＲＲＦ２の位置に開口を有している。それ故、第２レリーフ構造ＲＲＦ２の位置では、エッチング剤は、これら開口を介して第１層へ到達する。その結果、第１層のうち、第２レリーフ構造ＲＲＦ２を覆っている部分は除去される。そして、これに伴い、第２層のうち、第２レリーフ構造ＲＲＦ２上に位置した部分も除去される。
【０３４４】
他方、第２層は、第１レリーフ構造ＲＲＦ１の位置に開口を有していない。それ故、第１レリーフ構造ＲＲＦ１の位置では、エッチング剤は、第１層へ到達しない。従って、第１層及び第２層のうち、第１レリーフ構造ＲＲＦ１上に位置した部分は残留する。
【０３４５】
このようにして、反射層１２及び反射保護層１７を、それぞれ、第１層及び第２層の残留部として得る。なお、反射保護層１７は、除去してもよい。
【０３４６】
図３５は、本発明の第３乃至第５実施形態に係る表示体に採用可能な構造の他の例を概略的に示す断面図である。
【０３４７】
図３５に示す構造は、以下の点を除き、図３３を参照しながら説明した構造と同様である。即ち、図３５に示す構造では、第２レリーフ構造ＲＲＦ２は、第１レリーフ構造ＲＲＦ１と同じ又はほぼ同じ構造を有している。具体的には、第２レリーフ構造ＲＲＦ２は、幅方向に配列した複数の溝又は畝を含んでいる。
【０３４８】
第２レリーフ構造ＲＲＦ２が含んでいる溝又は畝の深さ又は高さとそれらの平均中心間距離との比は、第１レリーフ構造ＲＲＦ１が含んでいる溝又は畝の深さ又は高さとそれらの平均中心間距離との比と同じであるか又はほぼ等しい。そして、界面ＩＦのうち第２レリーフ構造ＲＲＦ２が設けられた領域は、界面ＩＦのうち第１レリーフ構造ＲＲＦ１が設けられた領域と、見かけ上の面積に対する表面積の比が同じであるか又はほぼ等しい。
【０３４９】
回折構造ＲＦは、界面ＩＦのうち、反射層１２によって覆われており且つ回折光を射出可能な部分である。ここでは、回折構造ＲＦは、界面ＩＦに設けられたレリーフ構造のうち反射層１２によって覆われた部分、即ち、第１レリーフ構造である。
【０３５０】
図３５を参照しながら説明した構造は、例えば、以下の方法により得られる。
先ず、熱可塑性樹脂層に、図示しない原版のレリーフ構造が設けられた面を、熱を印加しながら押し当て、その後、熱可塑性樹脂層から原版を取り除く。或いは、紫外線硬化性樹脂からなる塗膜を形成し、これに原版を押し当てながら紫外線を照射して紫外線硬化性樹脂を硬化させ、その後、塗膜から原版を取り除く。或いは、熱硬化性樹脂からなる塗膜を形成し、これに原版を押し当てながら加熱して熱硬化性樹脂を硬化させ、その後、塗膜から原版を取り除く。このようにして、一方の主面に第１レリーフ構造ＲＲＦ１及び第２レリーフ構造ＲＲＦ２が設けられたレリーフ構造形成層１１を得る。
【０３５１】
次に、レリーフ構造形成層１１の上記主面に、例えば気相堆積法により、反射層１２の材料からなる第１層を形成する。第１層は、例えば、それが第１レリーフ構造ＲＲＦ１及び第２レリーフ構造ＲＲＦ２の全体を被覆するように形成する。例えば、第１層は、レリーフ構造形成層１１の上記主面の全体に形成する。
【０３５２】
次いで、第１層の上に、反射保護層１７の材料からなる第２層を形成する。第２層は、例えば、それが第１層を間に挟んで第１レリーフ構造ＲＲＦ１及び第２レリーフ構造ＲＲＦ２の全体と向き合うように形成する。
【０３５３】
第２層としてフォトレジスト層を形成した場合は、このフォトレジスト層のパターン露光及び現像を行う。これにより、反射保護層１７としてレジストパターンを得る。
【０３５４】
第２層として他の層を形成した場合は、例えば、第２層上にレジストパターンを形成し、このレジストパターンをマスクとして用いて、第２層をエッチングする。これにより、反射保護層１７として、パターニングされた第２層を得る。
【０３５５】
或いは、第２層は、印刷パターンとして形成する。例えば、印刷マスクを使用して、第２層を印刷により形成する。
【０３５６】
その後、反射保護層１７をマスクとして用いて、第１層をエッチングする。これにより、反射層１２として、パターニングされた第１層を得る。
【０３５７】
なお、図３３及び図３５には、界面ＩＦに第２レリーフ構造ＲＲＦ２が設けられた構造を示したが、界面ＩＦには、第２レリーフ構造ＲＲＦ２は設けられていなくてもよい。例えば、界面ＩＦのうち第１レリーフ構造ＲＲＦ１が設けられた領域以外の領域は、平坦面であってもよい。この場合、反射層１２は、第１レリーフ構造ＲＲＦ１のみを被覆していてもよく、界面ＩＦのうち第１レリーフ構造ＲＲＦ１が設けられた領域以外の領域を更に被覆していてもよい。
【０３５８】
次に、本発明の一実施形態に係る転写箔について説明する。
図３６は、本発明の一実施形態に係る転写箔を概略的に示す断面図である。
【０３５９】
図３６に示す転写箔２は、支持体２１と転写材層と接着層１３とを含んでいる。
支持体２１は、転写材層を剥離可能に支持している。
接着層１３は、転写材層を被覆している。
【０３６０】
転写材層は、レリーフ構造形成層１１と、反射層１２と、保護層１４とを含んでいる。保護層１４は、ここでは、剥離保護層である。保護層１４、レリーフ構造形成層１１、及び反射層１２は、この順に、支持体２１上に積層されている。
【０３６１】
転写材層は、互いに隣接した転写部及び非転写部を含んでいる。転写部は、転写材層のうち、物品へ転写される部分であって、上記の表示体１を含んでいる。非転写部は、転写材層のうち、物品へ転写されずに残留する部分である。
【０３６２】
次に、本発明の一実施形態に係る粘着ラベルについて説明する。
図３７は、本発明の一実施形態に係る粘着ラベルを概略的に示す断面図である。
【０３６３】
図３７に示す粘着ラベル３は、基材１５と表示体１と粘着層１６とを含んでいる。なお、図３７において、なお、参照符号３１は、台紙を表している。
【０３６４】
基材１５は、例えば、透明樹脂フィルムである。基材１５は、その一方の主面に、表示体１を支持している。
【０３６５】
粘着層１６は、表示体１の一方の主面に設けられている。粘着層１６は、表示体１を間に挟んで基材１５と向き合っている。粘着層１６は、粘着ラベル３の使用直前まで、台紙３１によって保護される。
【０３６６】
次に、本発明の一実施形態に係るラベル付き物品について説明する。
図３８は、本発明の一実施形態に係るラベル付き物品を概略的に示す平面図である。
【０３６７】
図３８に示すラベル付き物品４は、印刷物である。ラベル付き物品４としては、例えば、商品券、有価証券、紙幣、ＩＤ（identification）カード、及びパスポートが挙げられる。
【０３６８】
このラベル付き物品４は、表示体１と、これを支持した物品４１と、物品４１上に設けられた印刷層４２ａ及び４２ｂとを含んでいる。
物品４１は、例えば、紙などの印刷基材である。印刷基材としては、例えば、紙基材、透明樹脂基材、又は不透明樹脂基材を用いることができる。
【０３６９】
表示体１は、例えば、この物品４１の表面に貼り付けるか又はこの物品４１内に埋め込まれることにより、物品４１によって支持されている。一例によれば、表示体１は、粘着ラベル又は転写箔を用いて、物品４１に貼り付けられる。
【０３７０】
物品４１が透明である場合には、表示体１は物品４１の中に埋め込まれていてもよい。このような構造は、例えば、複数の透明樹脂基材の間に表示体１を挟み込み、これら透明樹脂基材をラミネートすることにより得ることができる。
【０３７１】
また、印刷基材として紙基材や不透明樹脂基材を用いた場合のように、物品４１が不透明である場合には、上記の構造は、例えば、以下の方法により得ることができる。先ず、複数の紙基材又は不透明樹脂基材の間に表示体１を挟み込んで、これらを一体化する。次に、表示体１を視認可能となるように、それら基材の表示体１に対応する１以上の部分にウインドウを設ける。
【０３７２】
印刷層４２ａは、表示体１が表示する上記画像の元となる画像を用いて作成された印刷画像を表示するものである。印刷層４２ｂは、文字等を表示するものである。印刷層４２ａ及び４２ｂの一方又は両方を省略してもよい。
【０３７３】
印刷層４２ａが表示する印刷画像と表示体１が表示する上記画像とが対応している場合、印刷画像及び表示体１の何れか一方が不正に交換されたか又は書き換えられたとしても、不正行為がなされたことを容易に検知できる。
【０３７４】
＜第３発明＞
第３発明の実施形態は、第１発明の実施形態と第２発明の実施形態との組み合わせである。そのような組み合わせは、第２実施形態に係る表示体において、その回折構造のうち回折画像が含む顔画像の眼に関連した領域に、第３乃至第５実施形態で説明した構造の何れかを採用したものを包含する。加えて、この組み合わせは、第３乃至第５実施形態の何れかに係る表示体において、その回折構造のうち回折画像が含む顔画像の皮膚に対応した領域であって、例えば、鼻、頬、額、こめかみ、眉間、上瞼、下瞼、口、及び顎の１以上に対応した位置に、第１及び第２実施形態で説明した構造の何れかを採用したものを包含する。そして、この組み合わせは、そのような表示体を各々が含んだ、転写箔、粘着ラベル及びラベル付き物品を包含する。
【０３７５】
第３発明の実施形態によると、第１発明の実施形態で説明した効果と、第２発明の実施形態で説明した効果との双方が得られる。
【０３７６】
なお、本発明は、上記実施形態に限定されるものではなく、実施段階ではその要旨を逸脱しない範囲で種々に変形することが可能である。また、実施形態は適宜組み合わせて実施してもよく、その場合、組み合わせた効果が得られる。更に、上記実施形態には種々の段階の発明が含まれており、開示される複数の構成要件における適当な組み合わせにより種々の発明が抽出され得る。
【符号の説明】
【０３７７】
１…表示体、２…転写箔、３…粘着ラベル、４…ラベル付き物品、５…原版、１１…レリーフ構造形成層、１２…反射層、１３…接着層、１４…保護層、１５…基材、１６…粘着層、１７…反射保護層、２１…支持体、３１…台紙、４１…物品、４２ａ…印刷層、４２ｂ…印刷層、Ｇ１…溝又は畝、Ｇ２…溝又は畝、ＧＰ…隙間部、Ｉ１…画像、Ｉ２…画像、ＩＦ…界面、ＩＭ…元画像、ＬＰ１…第１線状部、ＬＰ２…第２線状部、ＬＰ３…第３線状部、ＬＰ４…第４線状部、ＬＰ５…第５線状部、ＬＰ６…第６線状部、ＬＰ７…第７線状部、ＬＰ８…第８線状部、ＬＰ９…第９線状部、ＬＰａ…第１線状領域、ＬＰｂ…第２線状領域、ＬＳ…光源、ＯＢ…立体物、Ｐ１…第１パターン、Ｐ２…第２パターン、Ｐ３…第３パターン、Ｐ４…第４パターン、Ｐ５…第５パターン、ＰＰ１…第１部分、ＰＰ２…第２部分、ＰＴ１…第１部分、ＰＴ２…第２部分、ＰＴ２ａ…第２部分、ＰＴ２ｂ…第２部分、ＰＴ２ｃ…第２部分、ＰＴ２ｄ…第２部分、ＰＴ３…第３部分、ＰＴ４…第４部分、ＰＴ５…第５部分、ＰＴ６…第６部分、ＰＴ１２…部分、Ｒ１…第１領域、Ｒ２…第２領域、Ｒ３…第３領域、Ｒ４…第４領域、Ｒ５…第５領域、Ｒａ…領域、Ｒｂ…領域、ＲＦ…回折構造、ＲＦ１…回折構造、ＲＦ２…レリーフ構造、ＲＲ１…第１領域、ＲＲ２…第２領域、ＲＲ３…第３領域、ＲＲ４…第４領域、ＲＲＦ１…第１レリーフ構造、ＲＲＦ２…第２レリーフ構造、ＲＲＦ３…第３レリーフ構造、ＲＲＦ４…第４レリーフ構造、ＳＲ１…第１サブ領域、ＳＲ２…第２サブ領域、ＳＲ３…第３サブ領域。
【図１】
2020054216.tif 000003
【図２】
2020054216.tif 000004
【図３】
2020054216.tif 000005
【図４】
2020054216.tif 000006
【図５】
2020054216.tif 000007
【図６】
2020054216.tif 000008
【図７】
2020054216.tif 000009
【図８】
2020054216.tif 000010
【図９】
2020054216.tif 000011
【図１０】
2020054216.tif 000012
【図１１】
2020054216.tif 000013
【図１２】
2020054216.tif 000014
【図１３】
2020054216.tif 000015
【図１４】
2020054216.tif 000016
【図１５】
2020054216.tif 000017
【図１６】
2020054216.tif 000018
【図１７】
2020054216.tif 000019
【図１８】
2020054216.tif 000020
【図１９】
2020054216.tif 000021
【図２０】
2020054216.tif 000022
【図２１】
2020054216.tif 000023
【図２２】
2020054216.tif 000024
【図２３】
2020054216.tif 000025
【図２４】
2020054216.tif 000026
【図２５】
2020054216.tif 000027
【図２６】
2020054216.tif 000028
【図２７】
2020054216.tif 000029
【図２８】
2020054216.tif 000030
【図２９】
2020054216.tif 000031
【図３０】
2020054216.tif 000032
【図３１】
2020054216.tif 000033
【図３２】
2020054216.tif 000034
【図３３】
2020054216.tif 000035
【図３４】
2020054216.tif 000036
【図３５】
2020054216.tif 000037
【図３６】
2020054216.tif 000038
【図３７】
2020054216.tif 000039
【図３８】
2020054216.tif 000040
【国際調査報告】
2020054216.tif 000041
2020054216.tif 000042
2020054216.tif 000043
2020054216.tif 000044
2020054216.tif 000045
2020054216.tif 000046
2020054216.tif 000047
2020054216.tif 000048